(57)【要約】【課題】動画像を見ながらリアルタイムでテロップの入力を可能とする。【解決手段】動画像の撮像が終了したタイミングで、撮像された動画像を自動再生して表示すると共に、入力するテロップの始点を指定するための始点ボタンと、終点を指定するための終点ボタンを表示画面に表示する。ユーザは、動画像を見ながら所望の始点及び終点を検索し、所望のタイミングで上記始点ボタン及び終点ボタンを操作する。制御部は、上記始点ボタンの操作に対応する動画像の再生時刻から上記終点ボタンの操作に対応する動画像の再生時刻までの間をテロップの表示区間として認識する。これにより、動画像を見ながらリアルタイムでテロップの入力を可能とすることができる。そして、制御部は、動画像を再生する際に、ユーザにより入力されたテロップを、上記表示区間のタイミングで該動画像と共に表示制御する。【選択図】  図３７
2004260632.tif 000002
【特許請求の範囲】
【請求項１】
少なくとも動画像の撮像機能を備えた携帯端末装置において、
撮像された動画像を再生して表示手段に表示する再生手段と、
上記再生手段により動画像が再生されている間、操作が可能となる、入力する動画付加情報の始点を指定するための始点指定手段と、
上記再生手段により動画像が再生されている間で、なおかつ、上記始点指定手段により上記始点の指定がなされた後に操作が可能となる、入力する動画付加情報の終点を指定するための終点指定手段と、
上記動画付加情報の入力を行うための入力手段と、
上記始点指定手段で指定された始点，上記終点指定手段で指定された終点、及び上記入力手段で入力された動画付加情報を、それぞれ上記動画像と関連付けて記憶手段に記憶する記憶制御手段と、
上記動画像の再生が指定された際に、上記記憶手段に記憶されている動画像を再生して上記表示手段に表示するように上記再生手段を制御すると共に、上記記憶手段に記憶されている始点に対応する上記動画像の再生時刻から、上記終点に対応する上記動画像の再生時刻までの間、上記記憶手段に記憶されている上記動画付加情報を上記動画像と共に上記表示手段に表示するように、上記再生手段を制御する制御手段と
を有することを特徴とする携帯端末装置。
【請求項２】
請求項１記載の携帯端末装置において、
上記入力手段で入力された動画付加情報の表示色を選択するための表示色選択手段、及び上記動画付加情報の背景色を選択するための背景色選択手段のうち、少なくとも一方の手段を有すること
を特徴とする携帯端末装置。
【請求項３】
請求項１又は請求項２記載の携帯端末装置において、
上記動画付加情報として、通信に関連する情報を入力するためのの通信関連情報入力手段を有すること
を特徴とする携帯端末装置。
【請求項４】
再生手段が動画像を再生して表示手段に表示する再生ステップと、
上記再生ステップにおいて上記再生手段により動画像が再生されている間、操作が可能となる始点指定手段で入力された動画付加情報の始点を、始点記憶制御手段が、上記動画情報と関連付けて記憶手段に記憶する始点記憶ステップと、
上記再生ステップにおいて上記再生手段により動画像が再生されている間、なおかつ、上記始点指定手段により上記始点の指定がなされた後に操作が可能となる終点指定手段で入力された動画付加情報の終点を、終点記憶制御手段が、上記動画像に関連付けて上記記憶手段に記憶する終点記憶ステップと、
入力手段を介して入力された上記動画付加情報を、付加情報記憶制御手段が、上記動画像と関連付けて上記記憶手段に記憶する付加情報記憶ステップと
を有することを特徴とする動画付加情報の編集方法。
【請求項５】
請求項４記載の動画付加情報の編集方法において、
上記動画像の再生が指定された際に、制御手段が、上記記憶手段に記憶されている動画像を再生して上記表示手段に表示するように上記再生手段を制御すると共に、上記記憶手段に記憶されている始点に対応する上記動画像の再生時刻から、上記終点に対応する上記動画像の再生時刻までの間、上記記憶手段に記憶されている上記動画付加情報を上記動画像と共に上記表示手段に表示するように、上記再生手段を制御する再生制御ステップを有すること
を特徴とする動画付加情報の編集方法。
【請求項６】
請求項５記載の動画付加情報の編集方法において、
表示色選択手段で選択された表示色で動画付加情報を表示するように上記再生手段を制御する指定表示色再生ステップ、及び背景色選択手段で選択された背景色で動画付加情報を表示するように上記再生手段を制御する指定背景色再生ステップのうち、少なくとも一方のステップを有すること
を特徴とする動画付加情報の編集方法。
【請求項７】
請求項４から請求項６のうち、いずれか一項記載の動画付加情報の編集方法において、
通信関連情報入力手段で入力された通信に関連する情報を、上記動画付加情報として上記動画像に関連付けて上記記憶手段に記憶する通信関連情報記憶ステップを有すること
を特徴とする動画付加情報の編集方法。
【発明の詳細な説明】
【０００１】
【発明が属する技術分野】
本発明は、携帯電話機，やＰＨＳ電話機，ＰＤＡ装置（ＰＤＡ：Ｐｅｒｓｏｎａｌ  Ｄｉｇｉｔａｌ  Ａｓｓｉｓｔａｎｔ）或いはノート型のパーソナルコンピュータ装置等に適用して好適な携帯端末装置及び動画付加情報の編集方法に関する。
【０００２】
【従来の技術】
今日において、静止画像及び動画像の撮像が可能なカメラ装置が設けられた携帯電話機が知られている。このような携帯電話機は、動画像を撮像した場合には、その動画像に対してテロップを付加することが可能となっている。
【０００３】
具体的には、テロップの入力が指定されると、従来の携帯端末装置の制御部は、撮像された動画像の撮像時間（＝再生時間）を図４０（ａ）に示すように４等分割し、それぞれ第１〜第４のテロップ入力区間として割り当てる。この図４０（ａ）に示す例では、動画像の再生時間が１５秒となっている。このため、テロップ入力区間としては、それぞれ約４秒に満たない時間が割り当てられていることとなる。
【０００４】
制御部は、このような割り当て処理を行うと、携帯端末装置の表示部に対して、図４０（ｂ）に示すように入力区間の選択画面と共にカーソルＣＲを表示制御する。ユーザは、カーソルＣＲを移動操作することで、テロップの入力を行う所望の入力区間を選択し、所望のテロップの入力を行う。
【０００５】
制御部は、テロップの入力が終了すると、該テロップの入力が行われたテロップ入力区間の開始時間及び終了時間を記憶すると共に、入力された文字を記憶する。そして、動画像を再生した際に、上記テロップ入力区間の開始時間となったタイミングで、ユーザにより入力された文字を読み出して動画像の表示領域とは別に設けられたテロップ表示領域に表示制御する。このテロップは、上記テロップ入力区間の終了時間となるまで連続的に表示される。
【０００６】
すなわち、入力されたテロップは、ユーザにより選択されたテロップ入力区間の開始時間から終了時間までの間、対応する動画像と共に表示されるようになっている。
【０００７】
【特許文献】
特開平１０―６５７８０号公報
【０００８】
【発明が解決しようとする課題】
しかし、従来の携帯電話機は、テロップの入力を行うことができるのはよいが、テロップを入力する際に、リアルタイムで動画像を見ながらテロップの入力を行うことができなかった。
【０００９】
このため、テロップを入力する場合、テロップを付加する動画像を再生し、この再生により、テロップを付加する箇所（テロップを付加する動画像の再生時間）は、上記固定的に割り当てられる第１〜第４のテロップ入力区間のうち、どのテロップ入力区間に対応するかを確認し、この確認結果に対応するであろうテロップ入力区間を選択してテロップの入力を行っていた。
【００１０】
このようなテロップの入力方法は、上記「確認結果に対応するであろうテロップ入力区間を選択する」という、いわばユーザの勘に頼るところが大きく好ましい入力方法とは言えないものである。
【００１１】
本発明は、上述の課題に鑑みてなされたものであり、動画像を見ながらリアルタイムでテロップ等の動画像に関する情報の編集を行うことができるような携帯端末装置及び動画付加情報の編集方法の提供を目的とする。
【００１２】
【課題を解決するための手段】
本発明は、再生手段により動画像が再生されている間、操作が可能となる始点指定手段で入力された動画付加情報の始点を、上記動画像に関連付けて記憶手段に記憶する。また、上記再生手段により動画像が再生されている間、なおかつ、上記始点指定手段により上記始点の指定がなされた後に操作が可能となる終点指定手段で入力された動画付加情報の終点を、上記動画像に関連付けて記憶手段に記憶する。さらに、入力手段を介して入力された上記動画付加情報を、上記動画像と関連付けて上記記憶手段に記憶することで、テロップ等の動画付加情報の編集を、動画像を見ながらリアルタイムで行うことを可能とする。
【００１３】
【発明の実施の形態】
本発明は、携帯電話機に適用することができる。
【００１４】
この本発明の実施の形態となる携帯電話機１００は、第１の筐体１と第２の筐体２とを備え、該第１の筐体１と第２の筐体２とによって本体部３が構成される。第１の筐体１と第２の筐体２とはヒンジ部４を介して回動自在に連結されて折畳自在にされ、第１の筐体１と第２の筐体２とは、両者が所定の角度開いた開放状態（図１参照）と両者が折り畳まれた閉塞状態（図２参照）との間で回動可能とされている。
【００１５】
第１の筐体１と第２の筐体２は、閉塞状態における両者間の角度θを０°とすると、例えば、角度θが１６０°まで回動可能であり（図３参照）、この１６０°の角度を為す状態が開放状態とされる。
【００１６】
尚、以下の説明において方向を示すときは、第１の筐体１と第２の筐体２を開いた開放状態（図１参照）において、第１の筐体１の後述する操作キーと第２の筐体２の後述する表示部を正面から見たときの前後上下左右の方向で示す。
【００１７】
第１の筐体１は、図１及び図２に示すように、第１のケース５に各部材及び各部品が収納又は配置されて成り、第１のケース５は前後で結合されたフロントケース５ａとリアケース５ｂとから成る。第１のケース５は扁平な形状に形成されたケース本体部６と該ケース本体部６の上端部からそれぞれ前方へ突出された内側ヒンジ筒部７、７とから成る。内側ヒンジ筒部７、７は軸方向が左右方向となる略円筒状に形成され、それぞれケース本体部６の左端寄りの位置と右端寄りの位置とに設けられている。
【００１８】
第１のケース５の内部には回路基板８が配置され（図４参照）、該回路基板８はその主面が前後方向を向くように配置されている。
【００１９】
第１の筐体１の前面には、テンキー１ａ，右ソフトキー８０Ｒ，左ソフトキー８０Ｌ，電源入力キー８１，発信キー８２、及び発光レベル切り替えキー８３等を備えた操作部８４が配置され、第１の筐体１の前面の下端部にはマイクロフォン装置９が設けられている（図１参照）。
【００２０】
第１の筐体１の前面の上端寄りの位置には回転式操作キー１０が配置されている。回転式操作キー１０を回転操作することにより所定のメニューを選択することができ、押圧操作することにより選択したメニューを実行することができる。回転式操作キー１０の操作によって、例えば、各種の編集作業、各種の情報の入力、後述するカメラ装置による撮影、カメラ装置によって撮影した画像の表示、画像の削除、画像の送信等の種々の操作を行うことができる。
【００２１】
また、この第１の筐体１の後面の上端部にはスピーカ装置１５ｂが設けられている。
【００２２】
第２の筐体２は、図１及び図２に示すように、第２のケース１１に各部材及び各部品が収納又は配置されて成り、第２のケース１１は前後で結合されたフロントケース１１ａとリアケース１１ｂとから成る。第２のケース１１は扁平な形状に形成されたケース本体部１２と該ケース本体部１２の下端部からそれぞれ略下方へ突出された外側ヒンジ筒部１３、１３とから成る。外側ヒンジ筒部１３、１３は軸方向が左右方向となり外面がそれぞれ閉塞された略円筒状に形成され、それぞれケース本体部６の左端部と右端部とに設けられている。従って、外側ヒンジ筒部１３、１３は、それぞれ第１の筐体１の内側ヒンジ筒部７、７の外側に位置されている。
【００２３】
第２の筐体２の前面には表示部（液晶表示パネル）１４、及び通話用のスピーカ装置１５ａが設けられている。表示部１４には、電波の受信状況、電池残量、通話相手の電話番号、電話帳として登録されている内容（相手先電話番号や氏名等）、発信履歴、着信履歴、カメラ装置による撮影時の画像、カメラ装置によって撮影した画像、その他の各種登録内容等の各種の情報が表示される。
【００２４】
ヒンジ部４は第１の筐体１の内側ヒンジ筒部７、７内と第２の筐体２の外側ヒンジ筒部１３、１３内とにヒンジ機構１６が配置されて成り、内側ヒンジ筒部７、７間にはカメラ装置１７が回転可能に支持されている。
【００２５】
カメラ装置１７は略円筒状に形成された保護カバー１８と該保護カバー１８によって一部を除いた部分が覆われた後述するカメラ本体を備えている。カメラ装置１７は第１の筐体１と第２の筐体２の回動方向と同じ方向に回転可能とされて。
【００２６】
保護カバー１８の周面には窓が形成され、この周面には窓が形成された部分を除いた左右方向における両端部以外の部分にローレット加工が施され、このローレット加工が施された部分が回転操作部１８ａとして形成されている。
【００２７】
このようにカメラ装置１７には、ローレット加工が施された回転操作部１８ａが設けられているため、回転操作部１８ａに指を宛ってカメラ装置１７の回転操作を容易に行うことができる。
【００２８】
以下に、第１の筐体１及び第２の筐体２の内部構造について説明する（図４乃至図９参照）。
【００２９】
第１の筐体１の内部には支持プレート１９が配置されている（図４乃至図６参照）。支持プレート１９は、図５に示すように、左右方向に長いベース部２０と該ベース部２０の左右両側縁からそれぞれ直角に折り曲げられた支持片部２１、２２とベース部２０の左右両側縁から左方又は右方へ突出された被取付部２３、２３とから成る。支持片部２１、２２の先端部には、それぞれシャフト挿通孔２１ａ、２２ａが形成されている。シャフト挿通孔２１ａ、２２ａには、１８０°反対側の位置にそれぞれ平面形状に形成されたカット面２１ｂ、２１ｂ、２２ｂ、２２ｂが形成されている。左側に位置する支持片部２１の中間部には、その左側面にクリック凹部２１ｃが形成されている。
【００３０】
ベース部２０には被取付孔２０ａ、２０ａが形成され、被取付部２３、２３にはそれぞれ被取付孔２３ａ、２３ａが形成されている。
【００３１】
支持プレート１９は被取付孔２０ａ、２０ａ、２３ａ、２３ａをそれぞれ挿通されたネジ部材によって第１のケース５のリアケース５ｂに取り付けられて第１のケース５内に配置される。支持プレート１９が第１のケース５内に配置された状態においては、支持片部２１、２２がそれぞれ内側ヒンジ筒部７、７内に配置される。
【００３２】
第２の筐体２の内部には支持フレーム２４が配置されている（図５及び図６参照）。支持フレーム２４は横長の基部２５と該基部２５の上側に設けられた枠部２６と基部２５から下方へ突出された支持筒部２７、２８とから成る。基部２５にはネジ挿通孔２５ａ、２５ａが形成され、枠部２６の上端部にも図示しない一対のネジ挿通孔が形成されている。
【００３３】
支持筒部２７、２８は基部２５の左右両端部からそれぞれ突出されている。支持筒部２７は左側面２７ａが閉塞された略円筒状に形成され、該左側面２７ａに貫通孔２７ｂが形成されている（図７及び図８参照）。支持筒部２８は略円筒状に形成されている。
【００３４】
支持筒部２７の右側縁部には、１８０°反対側の位置に右方に開口された位置決め切欠２７ｃ、２７ｃが形成されている（図５参照）。支持筒部２７の右側縁からは円弧状を為すストッパー突部２７ｄが右方へ向けて突出され、該ストッパー突部２７ｄは位置決め切欠２７ｃ、２７ｃが形成されていない部分に形成されている。
【００３５】
支持筒部２８の左側縁からは円弧状を為すストッパー突部２８ａが左方へ向けて突出され、該ストッパー突部２８ａは支持筒部２７に設けられたストッパー突部２７ｄに対応した位置に設けられている。
【００３６】
支持フレーム２４は基部２５のネジ挿通孔２５ａ、２５ａと枠部２６のネジ挿通孔にそれぞれ取付ネジが挿通されて第２のケース１１のリアケース１１ｂに取り付けられて第２のケース１１内に配置される。支持フレーム２４が第２のケース１１内に配置された状態においては、支持筒部２７、２８がそれぞれ外側ヒンジ筒部１３、１３内に配置される。
【００３７】
支持プレート１９の左側の支持片部２１のシャフト挿通孔２１ａには第１のシャフト２９が挿通される。第１のシャフト２９は順に左側から長軸部３０とフランジ部３１と短軸部３２とが一体に形成されて成り、フランジ部３１は長軸部３０及び短軸部３２より外径が大きくされている。
【００３８】
長軸部３０の左端寄りの位置には取付溝３０ａが形成され、長軸部３０の右端部には、周面の１８０°反対側の部分にそれぞれ平面形状に形成された回転止め部３０ｂ、３０ｂが形成されている。
【００３９】
短軸部３２には、その周面に開口された孔３２ａが形成されている。短軸部３２の孔３２ａには軸状を為す規制突部３３が挿入されて取り付けられ、該規制突部３３の一端部が短軸部３２の周面から突出されている。
【００４０】
第１のシャフト２９は長軸部３０が支持片部２１のシャフト挿通孔２１ａに右側から挿入され、フランジ部３１が支持片部２１の右側面に接した状態とされる。第１のシャフト２９は長軸部３０の回転止め部３０ｂ、３０ｂが、それぞれシャフト挿通孔２１ａのカット面２１ｂ、２１ｂに係合され、支持プレート１９に対して回転不能とされる。
【００４１】
支持フレーム２４の支持筒部２７の右側縁部にはクリック部材３４が配置される。クリック部材３４は略円環状に形成され、中心を挟んで１８０°反対側の位置からそれぞれ放射方向へ向けて位置決め突部３４ａ、３４ａが突出されている。クリック部材３４の右側面には右方へ突出されたクリック突部３４ｂ、３４ｂが設けられ、該クリック突部３４ｂ、３４ｂは位置決め突部３４ａ、３４ａに対応した位置に設けられている。
【００４２】
クリック部材３４は位置決め突部３４ａ、３４ａがそれぞれ支持筒部２７の位置決め切欠２７ｃ、２７ｃに挿入されて支持筒部２７に支持され、該支持筒部２７に対して回転不能とされている。また、クリック部材３４の中心孔３４ｃには第１のシャフト２９の長軸部３０が挿入されるが、クリック部材３４は第１のシャフト２９に対して回転可能とされる。
【００４３】
支持筒部２７内には圧縮コイルバネ３５が配置され、該圧縮コイルバネ３５は支持筒部２７の左側面２７ａとクリック部材３４間に配置される（図７及び図８参照）。
【００４４】
上記のように支持筒部２７にクリック部材３４と圧縮コイルバネ３５とが配置された状態で、第１のシャフト２９の長軸部３０がクリック部材３４の中心孔３４ｃ、圧縮コイルバネ３５及び支持筒部２７の左側面２７ａの貫通孔２７ｂを貫通される。貫通された長軸部３０は、先端部が左側面２７ａから左方へ突出され、取付溝３０ａに抜け止めリング３６が取り付けられる。従って、圧縮コイルバネ３５は支持筒部２７の左側面２７ａとクリック部材３４とに弾接され、クリック部材３４は圧縮コイルバネ３５によって右方（図７及び図８に示す矢印Ｒ方向）へ付勢され支持プレート１９の支持片部２１に押し付けられる。
【００４５】
支持プレート１９の右側の支持片部２２のシャフト挿通孔２２ａには第２のシャフト３７が挿通される。第２のシャフト３７は順に左側から取付部３８とフランジ部３９と挿入軸部４０とが一体に形成されて成り、フランジ部３９は挿入軸部４０より外径が大きくされている。取付部３８は横断面形状で略半円状に形成され、平面状を為す面に開口する螺穴３８ａが形成されている。螺穴３８ａの両側の位置には、それぞれ第２のシャフト３７の軸方向に延びるスライド溝３８ｂ、３８ｂが形成されている。
【００４６】
挿入軸部４０の右端寄りの位置には取付溝４０ａが形成されている。挿入軸部４０の周面には１８０°反対側の部分にそれぞれ平面形状に形成された面取り部４０ｂ、４０ｂが形成され、該面取り部４０ｂ、４０ｂは挿入軸部４０の先端から軸方向における中間の位置まで形成されている。
【００４７】
第２のシャフト３７は挿入軸部４０が支持片部２２のシャフト挿通孔２２ａに左側から挿入され、フランジ部３９が支持片部２２の左側面に接した状態とされる。
【００４８】
支持フレーム２４の支持筒部２８内には固定部材４１が配置される。固定部材４１はカメラ装置１７の回転時に回転不能な状態にある固定部として機能し、それぞれ略円板状に形成された小径部４２と大径部４３とが一体に形成されて成る。固定部材４１には小径部４２の左側面と大径部４３の右側面とを貫通する挿通孔４１ａが形成され、小径部４２の周面の１８０°反対側の部分にはそれぞれ平面形状に形成された回り止め部４２ａ、４２ａが形成されている。大径部４３の右側面には、図９に示すように、周方向に離隔して第１の係合凹部４３ａ、第２の係合凹部４３ｂ及び第３の係合凹部４３ｃが形成されている。
【００４９】
固定部材４１は小径部４２が支持プレート１９の支持片部２２のシャフト挿通孔２２ａに挿入された状態で支持筒部２８内に配置される。固定部材４１は小径部４２の回り止め部４２ａ、４２ａが、それぞれシャフト挿通孔２２ａのカット面２２ｂ、２２ｂに係合され、支持プレート１９に対して回転不能とされる。
【００５０】
支持フレーム２４の支持筒部２８内には固定部材４１の右側に回転部材４４が配置される。回転部材４４は円板状に形成され、カメラ装置１７と一体となって回転される回転部として機能する。回転部材４４の中心部には挿入孔４４ａが形成され、該挿入孔４４ａには１８０°反対側の位置にそれぞれ平面形状に形成された回転規制部４４ｂ、４４ｂが形成されている。回転部材４４の左側面には、図９に示すように、左方へ突出された係合突部４４ｃが設けられている。
【００５１】
支持筒部２８内には回転部材４４の右側に付勢部材４５が配置され、該付勢部材４５として圧縮コイルバネが用いられている。
【００５２】
支持筒部２８内には付勢部材４５の右側に平板状に形成されたカバー４６が配置され、該カバー４６には被取付孔４６ａが形成されている。被取付孔４６ａには１８０°反対側の位置にそれぞれ平面形状に形成された規制部４６ｂ、４６ｂが形成されている。
【００５３】
上記のように支持筒部２８に固定部材４１、回転部材４４、付勢部材４５及びカバー４６が配置された状態で、第２のシャフト３７の挿入軸部４０が固定部材４１の挿通孔４１ａ、回転部材４４の挿入孔４４ａ、付勢部材４５及びカバー４６の被取付孔４６ａを順に貫通される。貫通された挿入軸部４０は、先端部がカバー４６から右方へ突出され、取付溝４０ａに抜け止めリング４７が取り付けられる。従って、付勢部材４５は回転部材４４とカバー４６とに弾接され、回転部材４４は付勢部材４５によって左方（図７及び図８に示す矢印Ｌ方向）へ付勢され固定部材４１の大径部４３に押し付けられる。回転部材４４とカバー４６はそれぞれ回転規制部４４ｂ、４４ｂ、規制部４６ｂ、４６ｂが挿入軸部４０の面取り部４０ｂ、４０ｂに係合され、第２のシャフト３７に対して回転不能とされる。
【００５４】
上記した支持プレート１９の支持片部２１、２２と支持フレーム２４の支持筒部２７、２８とを連結する第１のシャフト２９、第２のシャフト３７及び該第１のシャフト２９、第２のシャフト３７に組み付けられる各部材によってヒンジ機構１６が構成される。このヒンジ機構１６は第１の筐体１と第２の筐体２を回動可能に支持する機構として機能する他、カメラ装置１７を回転可能に支持するカメラ支持機構としても機能する。
【００５５】
以下に、第１の筐体１と第２の筐体２の開閉動作について説明する。
【００５６】
第１の筐体１と第２の筐体２が開閉されるときには、第１のシャフト２９は支持プレート１９に対して回転不能とされると共に支持フレーム２４に対して回転可能とされているため、第１のシャフト２９は支持プレート１９と一体となって支持フレーム２４に対して回転される。一方、第２のシャフト３７は支持プレート１９及び支持フレーム２４に対して回転可能とされている。
【００５７】
閉塞状態においては、図１０に示すように、支持プレート１９の支持片部２１のクリック凹部２１ｃにクリック部材３４の一方のクリック突部３４ｂが係合されている。このとき支持片部２１、２２の一方の端縁がそれぞれ支持フレーム２４の支持筒部２７、２８のストッパー突部２７ｄ、２８ａの一方の端縁に近接又は当接した状態とされている。
【００５８】
閉塞状態から第１の筐体１と第２の筐体２を開放していくと、支持プレート１９の支持片部２１に対してクリック部材３４が回転され、該クリック部材３４の一方のクリック突部３４ｂと支持片部２１のクリック凹部２１ｃとの係合が解除される。このときクリック部材３４によって圧縮コイルバネ３５が押圧され該圧縮コイルバネ３５が稍圧縮される。
【００５９】
さらに第１の筐体１と第２の筐体２を開放していくと、所定の位置まで回転されたところで、圧縮されていた圧縮コイルバネ３５が弾性復帰して、図１１に示すように、クリック部材３４の他方のクリック突部３４ｂと支持片部２１のクリック凹部２１ｃとが係合されて、第１の筐体１と第２の筐体２が開放状態に保持される。このとき支持片部２１、２２の他方の端縁がそれぞれ支持フレーム２４の支持筒部２７、２８のストッパー突部２７ｄ、２８ａの他方の端縁に近接又は当接した状態とされ、これ以上の第１の筐体１と第２の筐体２の開放方向への回動が規制される。
【００６０】
逆に、開放状態から第１の筐体１と第２の筐体２を閉塞していくと、支持プレート１９の支持片部２１に対してクリック部材３４が回転され、該クリック部材３４の他方のクリック突部３４ｂと支持片部２１のクリック凹部２１ｃとの係合が解除される。このときクリック部材３４によって圧縮コイルバネ３５が押圧され該圧縮コイルバネ３５が稍圧縮される。
【００６１】
さらに第１の筐体１と第２の筐体２を閉塞していくと、所定の位置まで回転されたところで、圧縮されていた圧縮コイルバネ３５が弾性復帰して、図１０に示すように、クリック部材３４の一方のクリック突部３４ｂと支持片部２１のクリック凹部２１ｃとが係合されて、第１の筐体１と第２の筐体２が閉塞状態に保持される。このとき支持片部２１、２２の一方の端縁がそれぞれ支持フレーム２４の支持筒部２７、２８のストッパー突部２７ｄ、２８ａの一方の端縁に近接又は当接した状態とされ、これ以上の第１の筐体１と第２の筐体２の閉塞方向への回動が規制される。
【００６２】
次に、上記したカメラ装置１７についての詳細を説明する。
【００６３】
上記したようにカメラ装置１７は保護カバー１８と該保護カバー１８によって一部を除いた部分が覆われたカメラ本体４８とを備え、支持プレート１９の支持片部２１、２２と支持フレーム２４の支持筒部２７、２８とが第１のシャフト２９及び第２のシャフト３７を介して連結された状態において、支持片部２１、２２間に回転可能に支持される。
【００６４】
カメラ本体４８は保持ケース４９内に所定の各部が配置されて成り、保持ケース４９はカバー側ケース部４９ａとベース側ケース部４９ｂとが結合されて成る（図５及び図６参照）。
【００６５】
カバー側ケース部４９ａは、ベース側ケース部４９ｂ側に開口された横長の浅い箱状を為す基体部５０と、該基体部５０から左方へ突出された被支持部５１と、基体部５０から右方へ突出された被取付部５２とが一体に形成されて成る。
【００６６】
基体部５０にはレンズ配置孔５０ａが形成されている。
【００６７】
被支持部５１は左端部を除いた部分が円筒状に形成され、左端部が被規制突部５１ａとして設けられている。被規制突部５１ａは円弧状に形成され、周方向における一端縁が第１の被規制縁５１ｂとされ、周方向における他端縁が第２の被規制縁５１ｃとされている。
【００６８】
被取付部５２は横断面形状で略半円形状に形成され、平面部とその反対側の面を貫通するネジ挿通孔５２ａを有している。被取付部５２の平面部には、ネジ挿通孔５２ａを挟んだ両側の位置に、それぞれ左右方向に延びるスライド突部５２ｂ、５２ｂが設けられている。
【００６９】
ベース側ケース部４９ｂはカバー側ケース部４９ａ側に開口された横長の浅い箱状を為し、基体部５０より横幅が稍小さくされており、カバー側ケース部４９ａの基体部５０と、例えば、ネジ止めによって結合される。ベース側ケース部４９ｂは、その左側面が基体部５０の左側面と一致された状態でカバー側ケース部４９ａに結合される。
【００７０】
カメラ本体４８は撮像レンズ５３と所定の光学素子とを有し、撮像レンズ５３がカバー側ケース部４９ａのレンズ配置孔５０ａに配置されている。
【００７１】
カメラ本体４８は、被支持部５１と被取付部５２を除いた部分が保護カバー１８によって覆われ、被支持部５１と被取付部５２は保護カバー１８から左方又は右方へ突出されている。
【００７２】
カメラ装置１７は、以下のようにして第１のシャフト２９及び第２のシャフト３７に組み付けられる（図１２及び図１３参照）。
【００７３】
先ず、被取付部５２のスライド突部５２ｂ、５２ｂをそれぞれ第２のシャフト３７の取付部３８に形成されたスライド溝３８ｂ、３８ｂに挿入する（図１２参照）。このとき被支持部５１は第１のシャフト２９の直ぐ右側に位置される。
【００７４】
次に、カメラ装置１７を左方へスライドし保持ケース４９の被支持部５１に第１のシャフト２９の短軸部３２を挿入する（図１３参照）。従って、被支持部５１は第１のシャフト２９が挿入される挿入筒部としての役割を果たす。被支持部５１に短軸部３２を挿入すると、保持ケース４９のネジ挿通孔５２ａと第２のシャフト３７の螺穴３８ａが対応して位置される。
【００７５】
最後に、ネジ挿通孔５２ａを挿通した取付ネジ５４を第２のシャフト３７の螺穴３８ａに螺合する。
【００７６】
カメラ装置１７は第２のシャフト３７に取り付けられるため、該第２のシャフト３７と一体となって回転され、第１のシャフト２９に対して回転可能とされる。被支持部５１に短軸部３２が挿入された状態においては、該短軸部３２に取り付けられた規制突部３３が被規制突部５１ａに対応して位置される。
【００７７】
上記のように支持プレート１９と支持フレーム２４とがヒンジ機構１６を介して連結されると共にカメラ装置１７が回転可能に支持された状態において、本体用フレキシブルプリント配線板５５とカメラ用フレキシブルプリント配線板５６とが各別に配置される（図１４参照）。
【００７８】
本体用フレキシブルプリント配線板５５は、一端部が第１のケース５の内部に配置された回路基板８に設けられた図示しない本体用駆動回路のコネクター部に接続され、他端部が第２のケース６に配置された表示部１４の図示しないコネクター部に接続されている。本体用フレキシブルプリント配線板５５の中間部は、第２のシャフト３７の取付部３８の背面側を通り支持フレーム２４の支持筒部２８を巻回され基部２５の背面側を通るように配置されている。
【００７９】
カメラ用フレキシブルプリント配線板５６は、一端部が回路基板８に設けられた図示しないカメラ用駆動回路のコネクター部に接続され、他端部がカメラ装置１７のカメラ本体４８の図示しないコネクター部に接続されている。カメラ用フレキシブルプリント配線板５６の他端側の部分は、カメラ装置１７の保持ケース４９の被支持部５１を巻回され被支持部５１の背面側を通り保持ケース４９の外面に沿うようにして配置されており、他端部が２又状に分割された分割部５６ａ、５６ａとされている。
【００８０】
分割部５６ａ、５６ａの先端部は、保持ケース４９の内部に配置された素子ブロック４８ａに接続されている（図２３参照）。分割部５６ａ、５６ａ間には、保持ケース４９の内部に配置されたスペーサー４８ｂが位置されている。
【００８１】
上記のように第１の筐体１と第２の筐体２とが開閉されるときには、本体用フレキシブルプリント配線板５５の第２のシャフト３７に巻回された部分が、第１の筐体１と第２の筐体２の開閉動作に伴って径が変動される。
【００８２】
また、カメラ装置１７が回転されるときには、カメラ用フレキシブルプリント配線板５６の保持ケース４９に巻回された部分が、カメラ装置１７の回転動作に伴って径が変動される。
【００８３】
カメラ装置１７には撮像レンズ５３の外周の全周に補強枠５７を介して発光部５８が設けられている（図１６及び図１７参照）。発光部５８は内側に配置された発光体５８ａと外側に配置された導光体５８ｂとから成り、発光体５８ａとしては、例えば、ＬＥＤ（Ｌｉｇｈｔ  Ｅｍｉｔｔｉｎｇ  Ｄｉｏｄｅ）やハロゲンランプ等を用いることができる。
【００８４】
発光体５８ａは撮像レンズ５３から光軸方向に離隔するに従って外側に開くように傾斜されている。このように外側に開くように傾斜されていることにより、撮像レンズ５３が有する画角が遮蔽されないようにされている。
【００８５】
携帯電話機１００にあっては、上記したように、撮像レンズ５３の外周の全周に発光部５８が設けられているため、発光部５８から出射された光の片寄りがなく撮像レンズ５３の光軸を中心とした均等な光が出射され、良好な画像を撮影することができる。
【００８６】
以下に、カメラ装置１７の回転動作について説明する。
【００８７】
カメラ装置１７は第２のシャフト３７と一体となって第１のシャフト２９に対して回転され、第２のシャフト３７は支持プレート１９及び支持フレーム２４に対して回転可能とされているため、カメラ装置１７は支持プレート１９及び支持フレーム２４に対して回転される。
【００８８】
カメラ装置１７は第２の回転位置を中間位置として第１の回転位置と第３の回転位置との間を回転される。第１の回転位置は撮像レンズ５３が第１の筐体１に遮蔽された「遮蔽モード」の位置であり（図１５参照）、第２の回転位置は撮像レンズ５３が撮影者側を向く「自分側撮影モード」の位置であり（図１６参照）、第３の回転位置は撮像レンズ５３が撮影者の反対側を向く「相手側撮影モード」の位置である（図１７参照）。
【００８９】
第１の筐体１の第１のケース５の内部に配置された回路基板８の主面が向く方向に対して撮像レンズ５３の光軸が平行となる位置をカメラ装置１７の基準位置とすると、カメラ装置１７は、基準位置から正面側に、例えば、１３７°回転された位置が第１の回転位置とされ、基準位置から正面側に、例えば、１４°回転された位置が第２の回転位置とされ、基準位置から背面側に、例えば、１５０°回転された位置が第３の回転位置とされている。従って、カメラ装置１７は、例えば、２８７°の範囲で回転可能とされている。
【００９０】
第１の回転位置においては、図１８に示すように、固定部材４１の第１の係合凹部４３ａと回転部材４４の係合突部４４ｃとが係合されている。このとき、図２１に示すように、第１のシャフト２９に取り付けられた規制突部３３の先端部が保持ケース４９の第１の被規制縁５１ｂに近接又は当接した状態とされている。
【００９１】
規制突部３３は、カメラ装置１７が回転されたときに、保持ケース４９の被支持部５１の外面の回転軌跡から外方へ突出されないようになっている。従って、上記したように、規制突部３３にカメラ用フレキシブルプリント配線板５６を巻回した状態において、規制突部３３が巻回されたカメラ用フレキシブルプリント配線板５６に接触することがなく、被支持部５１の外周面側の空間をカメラ用フレキシブルプリント配線板５６を配置するためのスペースとして用いることができる。
【００９２】
第１の回転位置からカメラ装置１７を第２の回転位置へ向けて回転していくと、支持プレート１９の支持片部２２に固定された固定部材４１に対して第２のシャフト３７とともに回転部材４４が回転され、固定部材４１の第１の係合凹部４３ａと回転部材４４の係合突部４４ｃとの係合が解除される。回転部材４４によって付勢部材４５が押圧され該付勢部材４５が稍圧縮される。
【００９３】
さらにカメラ装置１７を回転していくと、第２の回転位置まで回転されたところで、圧縮されていた付勢部材４５が弾性復帰して、図１９に示すように、固定部材４１の第２の係合凹部４３ｂと回転部材４４の係合突部４４ｃとが係合されて、カメラ装置１７が第２の回転位置に保持される。
【００９４】
第２の回転位置からカメラ装置１７を第３の回転位置へ向けて回転していくと、固定部材４１に対して回転部材４４が回転され、固定部材４１の第２の係合凹部４３ｂと回転部材４４の係合突部４４ｃとの係合が解除される。回転部材４４によって付勢部材４５が押圧され該付勢部材４５が稍圧縮される。
【００９５】
さらにカメラ装置１７を回転していくと、第３の回転位置まで回転されたところで、圧縮されていた付勢部材４５が弾性復帰して、図２０に示すように、固定部材４１の第３の係合凹部４３ｃと回転部材４４の係合突部４４ｃとが係合されて、カメラ装置１７が第３の回転位置に保持される。このとき第１のシャフト２９に取り付けられた規制突部３３の先端部が保持ケース４９の第２の被規制縁５１ｃに近接又は当接した状態とされ（図２２参照）、これ以上のカメラ装置１７の不必要な回転が規制される。
【００９６】
逆に、第３の回転位置からカメラ装置１７を第２の回転位置へ向けて回転していくと、固定部材４１に対して回転部材４４が回転され、固定部材４１の第３の係合凹部４３ｃと回転部材４４の係合突部４４ｃとの係合が解除され、回転部材４４によって付勢部材４５が押圧され該付勢部材４５が稍圧縮される。
【００９７】
さらにカメラ装置１７を回転していくと、第２の回転位置まで回転されたところで、圧縮されていた付勢部材４５が弾性復帰して、図１９に示すように、固定部材４１の第２の係合凹部４３ｂと回転部材４４の係合突部４４ｃとが係合されて、カメラ装置１７が第２の回転位置に保持される。
【００９８】
第２の回転位置からカメラ装置１７を第１の回転位置へ向けて回転していくと、固定部材４１に対して回転部材４４が回転され、固定部材４１の第２の係合凹部４３ｂと回転部材４４の係合突部４４ｃとの係合が解除され、回転部材４４によって付勢部材４５が押圧され該付勢部材４５が稍圧縮される。
【００９９】
さらにカメラ装置１７を回転していくと、第１の回転位置まで回転されたところで、圧縮されていた付勢部材４５が弾性復帰して、図１８に示すように、固定部材４１の第１の係合凹部４３ａと回転部材４４の係合突部４４ｃとが係合されて、カメラ装置１７が第１の回転位置に保持される。このとき第１のシャフト２９に取り付けられた規制突部３３の先端部が保持ケース４９の第１の被規制縁５１ｂに近接又は当接した状態とされ（図２１参照）、これ以上のカメラ装置１７の不必要な回転が規制される。
【０１００】
携帯電話機１００にはカメラ装置１７の回転位置を検出するための非接触型の検出手段５９が設けられている（図４参照）。検出手段５９は磁気抵抗素子６０、例えば、ＭＲ（Ｍａｇｎｅｔｏ  Ｒｅｓｉｓｔｉｖｅ）素子とマグネット６１によって構成されている。尚、検出手段５９は磁気抵抗素子６０とマグネット６１のような磁気センサーの他、検出光を出射して検出を行うような光学式のセンサーであってもよい。
【０１０１】
磁気抵抗素子６０は、図４に示すように、第１のケース５の内部に配置された回路基板８の上端部に取り付けられ、マグネット６１はカメラ装置１７の保持ケース４９の外面に取り付けられている。検出手段５９にあっては、磁気抵抗素子６０の中心点とマグネット６１の中心点とが、カメラ装置１７の回転位置に関わらず、カメラ装置１７の回転軸に直交し撮像レンズ５３の光軸を含む面内に常に位置するようにされている。従って、磁気抵抗素子６０の中心点とマグネット６１の中心点との位置ずれが生じず、磁気抵抗素子６０の感度の低下を防止することができる。
【０１０２】
以下に、カメラ装置１７が回転されたときの検出手段５９による検出動作について説明する（図２３乃至図２６参照）。
【０１０３】
カメラ装置１７は、上記したように、第１の回転位置にある「遮蔽モード」（図１５参照）、第２の回転位置にある「自分側撮影モード」（図１６参照）及び第３の回転位置にある「相手側撮影モード」（図１７参照）の３つのモードを有している。
【０１０４】
回路基板８の主面が向く方向に対して撮像レンズ５３の光軸が平行となる位置をカメラ装置１７の基準位置（０°）とすると、カメラ装置１７は、基準位置から正面側（マイナス側）に１３７°回転された位置が第１の回転位置とされ、基準位置から正面側に１４°回転された位置が第２の回転位置とされ、基準位置から背面側（プラス側）に１５０°回転された位置が第３の回転位置とされている。
【０１０５】
図２３に示すように、遮蔽モード（−１３７°）においては、磁気抵抗素子６０とマグネット６１との位置関係により検出手段５９の検出結果に基づいてスイッチＡが「オフ」にされている。スイッチＡは撮像レンズ５３を介して取り込まれる画像を反転するために設けられたスイッチである。
【０１０６】
カメラ装置１７が遮蔽モードにある第１の回転位置からプラス側に回転され、図２４に示すように、自分側撮影モード（−１４°）とされてもスイッチＡは「オフ」のままである。
【０１０７】
カメラ装置１７がさらにプラス側に回転され、図２５に示すように、回転角度が＋９０°とされると、磁気抵抗素子６０とマグネット６１とが接近した位置関係となり、検出手段５９の検出結果に基づいてスイッチＡが「オン」にされる。
【０１０８】
従って、この＋９０°の回転角度の位置がスイッチＡの切替ポイントとされている。スイッチＡが「オン」にされることにより撮像レンズ５３を介して取り込まれる画像が反転される。
【０１０９】
さらにカメラ装置１７がプラス側に回転されると、図２６に示すように、相手側撮影モード（＋１５０°）とされ第３の回転位置に至るが、この間、磁気抵抗素子６０にマグネット６１が接近されるためスイッチＡは「オン」のままである。相手側撮影モードにおいて、磁気抵抗素子６０とマグネット６１とが、最も接近される。
【０１１０】
逆に、カメラ装置１７が相手側撮影モードにある第３の回転位置からマイナス側に回転されると、検出手段５９の検出結果に基づいて＋９０°でスイッチＡが「オン」から「オフ」に切り替わり、撮像レンズ５３を介して取り込まれる画像が反転されて通常表示に戻る。
【０１１１】
以上に記載した通り、携帯電話機１００にあっては、撮像レンズ５３を介して取り込まれる画像の反転を、カメラ装置１７の本体部３に対する回転位置を検出する非接触型の検出手段５９によって行うようにしているため、プッシュスイッチを用いた場合のように被操作レバーや操作用突部の可動スペースを必要とせず、また、ヒンジ機構１６と被操作レバーや操作用突部との干渉というおそれもなく、その分、携帯電話機１００の小型化を図ることができる。
【０１１２】
また、カメラ装置１７への給電のためのカメラ用フレキシブルプリント配線板５６の十分な配置スペースを確保することができ、また、被操作レバーや操作用突部とカメラ用フレキシブルプリント配線板５６との干渉という問題が生じないため、カメラ用フレキシブルプリント配線板５６の耐久性の向上を図ることができる。
【０１１３】
さらに、検出手段５９が非接触型であるため、ヒンジ部４の隙間から侵入するおそれのある塵埃や水分等による影響が少なく、検出動作の不良を防止することができる。
【０１１４】
加えて、非接触型の検出手段５９を用いることにより、プッシュスイッチ等の接触型の検出手段を用いた場合に比し、検出手段５９の耐久性の向上を図ることができる。
【０１１５】
さらにまた、検出手段５９が磁気抵抗素子６０とマグネット６１とによって構成され、簡素な構成とされているため、携帯電話機１００の内部に設けられる内部機構の簡素化及び内部機構の組立作業における作業性の向上を図ることができる。
【０１１６】
検出手段５９にあっては、磁気抵抗素子６０が本体部３を構成する第１の筐体１の内部に配置された回路基板８に取り付けられ、マグネット６１がカメラ装置１７に取り付けられているため、磁気抵抗素子６０への給電のための配線板、例えば、フレキシブルプリント配線板や専用のコネクター等の部品を設ける必要がなく、内部構成の簡素化及び部品点数の低減を図ることができる。
【０１１７】
また、磁気抵抗素子６０を回路基板８に取り付けマグネット６１をカメラ装置１７に取り付けることにより、磁気抵抗素子６０への給電のためのフレキシブルプリント配線板を必要としないため、カメラ装置１７を回転したときの当該フレキシブルプリント配線板に対するストレスによる耐久性の低下という問題も生じることがなく、検出手段５９による良好な検出動作を確保することができる。
【０１１８】
さらに、携帯電話機１００へ外部からの衝撃等が付与されたときには、回転可能なカメラ装置１７は回路基板８よりもこの衝撃等の影響を受け易いため、磁気抵抗素子６０を回路基板８に取り付けマグネット６１をカメラ装置１７に取り付けることにより、磁気抵抗素子６０のクラックや破損等と言った不具合の発生を防止することができる。
【０１１９】
加えて、磁気抵抗素子６０を回路基板８に取り付けマグネット６１をカメラ装置１７に取り付けることにより、カメラ装置１７の交換が必要とされた場合でも、一般にマグネット６１よりも高価な磁気抵抗素子６０をカメラ装置１７とともに交換する必要がない。
【０１２０】
尚、上記には、磁気抵抗素子６０を回路基板８に取り付けマグネット６１をカメラ装置１７に取り付けた例を示したが、逆に、磁気抵抗素子６０をカメラ装置１７に取り付けマグネット６１を回路基板８に取り付けてもよい。この場合には磁気抵抗素子６０への給電をカメラ用フレキシブルプリント配線板５６を用いて行うことが可能である。
【０１２１】
次に、検出手段６２及びこの検出手段６２による検出動作について説明する（図２７乃至図３０参照）。
【０１２２】
検出手段６２も検出手段５９と同様に非接触型であり、第１の磁気抵抗素子６３と第２の磁気抵抗素子６４とマグネット６５とによって構成されている。第１の磁気抵抗素子６３と第２の磁気抵抗素子６４として、例えば、何れもＭＲ素子が用いられている。
【０１２３】
尚、検出手段６２としても検出手段５９と同様に、検出光を出射して検出を行うような光学式のセンサーを用いてもよい。
【０１２４】
第１の磁気抵抗素子６３は第１のケース５の内部に配置された回路基板８の上端部に配置され、第２の磁気抵抗素子６４は第１のケース５のフロントケース５ａの背面の上端部の傾斜された部分に配置されている。マグネット６５はカメラ装置１７の保持ケース４９の外面に取り付けられている。検出手段６２にあっては、第１の磁気抵抗素子６３、第２の磁気抵抗素子６４の中心点とマグネット６５の中心点とが、カメラ装置１７の回転位置に関わらず、カメラ装置１７の回転軸に直交し撮像レンズ５３の光軸を含む面内に常に位置するようにされている。
【０１２５】
従って、第１の磁気抵抗素子６３、第２の磁気抵抗素子６４の中心点とマグネット６５の中心点との位置ずれが生じず、第１の磁気抵抗素子６３及び第２の磁気抵抗素子６４の感度の低下を防止することができる。
【０１２６】
図２７に示すように、遮蔽モード（−１３７°）においては、第１の磁気抵抗素子６３とマグネット６５との位置関係により検出手段６２の検出結果に基づいてスイッチＡが「オフ」にされている。このとき第２の磁気抵抗素子６４とマグネット６５とは最も接近した位置にあり、第２の磁気抵抗素子６４とマグネット６５との位置関係により検出手段６２の検出結果に基づいてスイッチＢが「オン」にされている。
【０１２７】
スイッチＢはカメラ装置１７を使用可能状態又は使用不能状態に切り替えるために設けられたスイッチであり、スイッチＢが「オン」にされているときにはカメラ装置１７が使用不能状態にある。カメラ装置１７が使用不能状態にあるときには、例えば、カメラ装置１７の保持ケース４９の内部に配置された素子ブロック４８ａへの給電が停止又は遮断されている。
【０１２８】
カメラ装置１７が遮蔽モードにある第１の回転位置からプラス側に回転され、図２８に示すように、自分側撮影モード（−１４°）とされてもスイッチＡは「オフ」のままである。一方、第２の磁気抵抗素子６４はマグネット６５から離隔され、遮蔽モードから自分側撮影モードに至る途中で検出手段６２の検出結果に基づいてスイッチＢが「オフ」にされる。スイッチＢが「オフ」にされると、素子ブロック４８ａへの給電が再開されカメラ装置１７が使用可能状態に切り替えられる。
【０１２９】
カメラ装置１７がさらにプラス側に回転され、図２９に示すように、回転角度が＋９０°とされると、第１の磁気抵抗素子６３とマグネット６５とが接近した位置関係となり、検出手段６２の検出結果に基づいてスイッチＡが「オン」にされる。スイッチＡが「オン」にされることにより撮像レンズ５３を介して取り込まれる画像が反転される。一方、回転角度が＋９０°とされても第２の磁気抵抗素子６４とマグネット６５とは離隔された位置にありスイッチＢは「オフ」のままでありカメラ装置１７は使用可能状態にある。
【０１３０】
さらにカメラ装置１７がプラス側に回転されると、図３０に示すように、相手側撮影モード（＋１５０°）とされ第３の回転位置に至るが、この間、第１の磁気抵抗素子６３にマグネット６５が接近されるためスイッチＡは「オン」のままである。相手側撮影モードにおいて、第１の磁気抵抗素子６３とマグネット６５とが、最も接近される。また、相手側撮影モードにおいても第２の磁気抵抗素子６４とマグネット６５とは離隔された位置にありスイッチＢは「オフ」のままでありカメラ装置１７は使用可能状態にある。
【０１３１】
逆に、カメラ装置１７が相手側撮影モードにある第３の回転位置からマイナス側に回転されると、検出手段６２の検出結果に基づいて＋９０°でスイッチＡが「オン」から「オフ」に切り替わり、撮像レンズ５３を介して取り込まれる画像が反転されて通常表示に戻る。カメラ装置１７のマイナス側への回転中には、検出手段６２の検出結果に基づいて自分側撮影モードから遮蔽モードに至る途中でスイッチＢが「オフ」から「オン」に切り替わり、カメラ装置１７が使用可能状態から使用不能状態に切り替えられる。
【０１３２】
上記したように、検出手段６２を用いた場合には、検出手段５９を用いた場合の上記した効果に加え、カメラ装置１７が所定の位置に回転されたときにカメラ装置１７が使用可能状態又は使用不能状態に切り替わるため、必要なときにのみカメラ装置１７への給電が行われ消費電力の低減を図ることができる。
【０１３３】
また、自分側撮影モードと相手側撮影モードとの間で画像の反転が行われ、自分側撮影モードと相手側撮影モードにおいてカメラ装置１７が使用可能状態とされると共に遮蔽モードにおいてカメラ装置１７が使用不能状態とされるため、各モードにおいて撮影者にとってのカメラ装置１７の所望の状態が設定され、使い勝手の向上を図ることができる。
【０１３４】
尚、上記には、第１の磁気抵抗素子６３を回路基板８に取り付け第２の磁気抵抗素子６４を第１のケース５に取り付け、マグネット６５をカメラ装置１７に取り付けた例を示したが、逆に、第１の磁気抵抗素子６３及び第２の磁気抵抗素子６４をカメラ装置１７の各別の位置に取り付けマグネット６５を回路基板８に取り付けてもよい。この場合には第１の磁気抵抗素子６３及び第２の磁気抵抗素子６４への給電をカメラ用フレキシブルプリント配線板５６を用いて行うことが可能である。
【０１３５】
また、上記には、第１の磁気抵抗素子６３及び第２の磁気抵抗素子６４の２つの磁気抵抗素子と１つのマグネット６５とによって検出手段６２を構成した例を示したが、検出手段６２を１つの磁気抵抗素子と２つのマグネットとによって構成することも可能である。
【０１３６】
以下に、上記した検出手段６２による検出動作を図３１に示すフローチャート図を参照して説明する。
【０１３７】
（Ｓ１）検出手段６２による検出動作を開始し、スイッチＢの状態を判別する。スイッチＢが「オン」にされている場合には（Ｓ２）へ移行される。スイッチＢが「オフ」にされている場合には（Ｓ３）へ移行される。
【０１３８】
（Ｓ２）カメラ装置１７が使用不能状態とされ、引き続き（Ｓ１）のスイッチＢの判別を行う。
【０１３９】
（Ｓ３）カメラ装置１７が使用可能状態とされ、（Ｓ４）へ移行される。
【０１４０】
（Ｓ４）撮像レンズ５３を介して取り込まれる画像が反転されない通常表示とされ、（Ｓ５）へ移行される。
【０１４１】
（Ｓ５）スイッチＡの状態を判別する。スイッチＡが「オン」にされている場合には（Ｓ６）へ移行される。スイッチＡが「オフ」にされている場合には（Ｓ１）へ移行され、引き続き（Ｓ１）のスイッチＢの判別を行う。
【０１４２】
（Ｓ６）撮像レンズ５３を介して取り込まれる画像が反転されて反転表示とされ、（Ｓ５）へ移行されて引き続き（Ｓ５）のスイッチＡの判別を行う。
【０１４３】
次に、カメラ装置の変形例について説明する（図３２参照）。この変形例に係るカメラ装置１７Ａは、上記したカメラ装置１７と比較して、回転操作部の位置及び形状が異なることのみが相違するため、カメラ装置１７と比較して異なる部分についてのみ詳細に説明をし、その他の部分についてはカメラ装置１７における同様の部分に付した符号と同じ符号を付して説明は省略する。
【０１４４】
カメラ装置１７Ａは略円筒状に形成された保護カバー１８Ａと該保護カバー１８Ａによって一部を除いた部分が覆われたカメラ本体４８を備えている。
【０１４５】
保護カバー１８Ａの左右両端部にはそれぞれローレット加工が施され、このローレット加工が施された部分が回転操作部１８ｂ、１８ｂとして形成されている。回転操作部１８ｂ、１８ｂは保護カバー１８Ａの全周に亘って形成されている。
【０１４６】
このようにカメラ装置１７Ａには、保護カバー１８Ａの全周に亘って形成された回転操作部１８ｂ、１８ｂが設けられているため、カメラ装置１７Ａの回転位置に関わらず、回転操作部１８ｂ、１８ｂに指を宛ってカメラ装置１７Ａの回転操作を容易に行うことができる。
【０１４７】
［カメラ装置を用いた撮像動作］
〔携帯電話機の電気的構成〕
次に、図３３に、当該実施の形態の携帯電話機の電気的構成を示すブロック図を示す。この図３３に示すように、当該実施の形態の携帯電話機は、通信基地局との間でデータの送受信を行うアンテナ８５及び送受信部８６と、操作部８４の操作に対応して発光部５８を点灯制御してカメラ装置１７を撮像制御すると共に、該カメラ装置で撮像された撮像画像に対して所定の画像処理を施して表示部１４に表示制御する制御部８７と、カメラ装置１７で撮像された撮像画像を記憶（保存）するメモリ８８とを有している。
【０１４８】
当該携帯電話機においては、ユーザはカメラ装置１７を用いて撮像を行う際、静止画像を撮像する「スチルモード」、或いは動画像を撮像する「ムービーモード」を予めしてするようになっている。
【０１４９】
制御部８７は、「スチルモード」で撮像が行われた場合、カメラ装置１７からの撮像信号に対してＪＰＥＧ処理（ＪＰＥＧ：Ｊｏｉｎｔ  Ｐｈｏｔｏｇｒａｐｈｉｃ  Ｃｏｄｉｎｇ  Ｅｘｐｅｒｔｓ  Ｇｒｏｕｐ）を施して表示部１４に表示制御し、ユーザから保存が指定された場合には、その静止画像情報をメモリ８８に記憶制御する。
【０１５０】
また、制御部８７は、「ムービーモード」で撮像が行われた場合、カメラ装置１７からの撮像信号に対してＭＰＥＧ処理（ＭＰＥＧ：Ｍｏｖｉｎｇ  Ｐｉｃｔｕｒｅ  Ｃｏｄｉｎｇ  Ｅｘｐｅｒｔｓ  Ｇｒｏｕｐ）を施して表示部１４に表示制御し、ユーザから保存が指定された場合には、その動画像情報をメモリ８８に記憶制御する。
【０１５１】
〔スチルモード〕
当該実施の形態の携帯電話機は、電源が投入されていない状態において、図１に示す操作部８４の電源入力キー８１が所定時間押圧操作されると、制御部８７は当該携帯電話機を起動制御すると共に、表示部１４に対して所定の待ち受け画像を表示制御する。
【０１５２】
この待ち受け画像が表示部１４に表示されている状態において、ユーザが回転式操作キー１０を押圧操作すると、制御部８７は、表示部１４に対して、例えば図３４（ａ）に示すような「セットアップ」，「カメラ」，「メール」等の動作メニューを表示制御する。
【０１５３】
また、制御部８７は、回転式操作キー１０の模式的な画像と共に「選択」の文字を、表示部１４の下領域に表示制御する。この回転式操作キー１０の模式的な画像及び「選択」の文字は、回転式操作キー１０を押圧操作することで、上記動作メニューの中から所望の動作メニューを選択可能であることを示している。
【０１５４】
次に、この状態で回転式操作キー１０が押圧操作されると、制御部８７は、図３４（ｂ）に示すように各動作メニューと共にカーソルＣＲを表示部１４に表示制御する。
【０１５５】
また、制御部８７は、回転式操作キー１０の模式的な画像と共に「選択」の文字を、表示部１４の下領域に表示制御する。この場合における回転式操作キー１０の模式的な画像及び「選択」の文字は、回転式操作キー１０を回転操作することで、カーソルＣＲが各動作メニューの表示位置に移動し、回転式操作キー１０を押圧操作することで、カーソルＣＲが位置している動作メニューが決定されることを示している。
【０１５６】
この場合「スチルモード」での撮像を行いたいため、ユーザは、回転式操作キー１０を回転操作して「カメラ」の動作メニューの表示位置にカーソルＣＲを移動表示させ、回転式操作キー１０を押圧操作する。
【０１５７】
次に、この状態で回転式操作キー１０が押圧操作されると、制御部８７は、図３４（ｃ）に示すように「スチルモード」の文字を所定時間（例えば数秒程度）表示部１４に表示制御し、この所定時間経過後に、図３４（ｄ）に示すようにカメラ装置１７で撮像されている画像を所定時間毎に連続的に取り込み表示部１４に表示制御する。
【０１５８】
これにより、表示部１４には、カメラ装置１７で撮像されている画像が動画的に連続的に表示されることとなるため、ユーザは、この表示部１４に連続的に表示される画像を見ながら、静止画像として撮像する所望の被写体を選択することとなる。
【０１５９】
また、制御部８７は、図３４（ｄ）に示すように、このような連続的な画像と共に、回転式操作キー１０の模式的な画像及び「撮影」の文字を、表示部１４の下領域に表示制御する。この場合における回転式操作キー１０の模式的な画像及び「撮影」の文字は、回転式操作キー１０を押圧操作することで、表示部１４に表示されている画像が静止画像として撮像されることを示している。
【０１６０】
このため、ユーザは、表示部１４に所望の被写体が表示されたタイミングで回転式操作キー１０を押圧操作する。
【０１６１】
制御部８７は、この状態で回転式操作キー１０が押圧操作されると、該回転式操作キー１０が押圧操作されたタイミングでカメラ装置１７により撮像された画像の画像情報に対してＪＰＥＧ処理を施し、図３４（ｅ）に示すように静止画像として表示部１４に表示制御する。
【０１６２】
ユーザは、この表示部１４に表示される静止画像を見ることで、撮像された被写体を確認することとなる。
【０１６３】
また、制御部８７は、このように静止画像を表示すると共に、表示部１４の下領域に回転式操作キー１０の模式的な画像及び「保存」」の文字を表示制御する。この場合における回転式操作キー１０の模式的な画像及び「保存」の文字は、回転式操作キー１０を押圧操作することで、表示部１４に表示されている静止画像が保存されることを示している。
【０１６４】
ユーザは、撮像した静止画像を保存する場合は、回転式操作キー１０を押圧操作する。この場合、回転式操作キー１０の押圧操作を検出すると制御部８７は、現在、表示部１４に表示している静止画像に対応する画像情報を、図３３に示すメモリ８８に記憶制御する。これにより、ユーザにより撮像された静止画像がメモリ８８に保存されることとなる。
【０１６５】
これに対して、ユーザは、撮像した静止画像を保存しない場合は、図１に示す電源入力キー８１を押圧操作する。この場合電源入力キー８１は、キャンセルキーとして機能するようになっている。制御部８７は、電源入力キー８１の押圧操作を検出すると、例えば図３４（ｆ）に示すように「終了します。保存しますか」とのメッセージと共に、「はい」，「いいえ」の文字を表示部１４に表示制御する。また、制御部８７は、回転式操作キー１０の模式的な画像と共に「選択」の文字を表示部１４の下領域に表示制御する。
【０１６６】
これは、スチルモードを終了するのであるが、この終了の前に、現在、撮像されている静止画像の保存を行うか否かを問うメッセージとなっている。
【０１６７】
ユーザは、スチルモードの終了前に現在撮像されている静止画像を保存する場合は、回転式操作キー１０を回転操作してカーソルＣＲを「はい」の表示位置に移動させ、該回転式操作キー１０を押圧操作する。これにより、制御部８７は、現在撮像されている静止画像をメモリ８８に保存した後に、初期画面となっている所定の待ち受け画像を表示部１４に表示制御して「スチルモード」を終了する。
【０１６８】
これに対して、ユーザは、現在撮像されている静止画像を保存することなく当該「スチルモード」を終了する場合は、回転式操作キー１０を回転操作してカーソルＣＲを「いいえ」の表示位置に移動させ、該回転式操作キー１０を押圧操作する。これにより、制御部８７は、現在撮像されている静止画像をメモリ８８に保存することなく、初期画面となっている所定の待ち受け画像を表示部１４に表示制御して「スチルモード」を終了する。
【０１６９】
〔ムービーモード〕
次に、制御部８７は、前述の「スチルモード」において、図３４（ｄ）を用いて説明したようにカメラ装置１７で撮像されている画像を所定時間毎に連続的に取り込み表示部１４に表示制御するのであるが、これと共に、図１に示す右ソフトキー８０Ｒを模式的に示す画像と共に、「ムービー」の文字を表示部１４の下領域に表示制御する。
【０１７０】
この右ソフトキー８０Ｒを模式的に示す画像及び「ムービー」の文字は、図３４（ｄ）に示す状態で右ソフトキー８０Ｒが押圧操作されると、「スチルモード」から「ムービーモード」に移行することを示している。
【０１７１】
このため、ユーザは、動画像の撮像を行う場合、一旦、「スチルモード」を経て、上記右ソフトキー８０Ｒを模式的に示す画像と共に「ムービー」の文字が表示部１４に表示させ（図３４（ｄ））、この状態で右ソフトキー８０Ｒを押圧操作して「ムービーモード」への移行を指定することとなる。
【０１７２】
制御部８７は、ユーザにより「ムービーモード」への移行が指定されると、図３５（ａ）に示すように「ムービーモード」の文字を所定時間（例えば数秒程度）表示部１４に表示制御し、この所定時間経過後に、図３５（ｂ）に示すようにカメラ装置１７で撮像されている画像を所定時間毎に連続的に取り込み表示部１４に表示制御する。
【０１７３】
この「ムービーモード」に移行すると、現在、カメラ装置１７で撮像されている画像と共に、例えば表示部１４の左端領域に、表示部１４の縦方向に沿った長棒状のプログレスバーＰＢが表示される。このため、「スチルモード」時には表示部１４いっぱいに画像が表示されるのに対し、この「ムービーモード」においては、ムービーサイズを示す枠９０が設定され、この枠９０内に現在撮像されている画像が連続的に表示されるようになっている。ユーザは、このように枠９０内に連続的に表示される画像を見ながら所望の被写体を探すこととなる。
【０１７４】
次に、制御部８７は、上記枠９０内に、現在、カメラ装置１７で撮像されている画像を表示すると、回転式操作キー１０の模式的な画像と共に「録画」の文字を表示部１４の下領域に表示制御する。この回転式操作キー１０の模式的な画像及び「録画」の文字は、回転式操作キー１０を押圧操作すると、そのタイミングで録画が開始されることを示している。このため、ユーザは、上記枠９０内に所望の被写体が表示されたタイミングで回転式操作キー１０を押圧操作して録画の開始指示を行うこととなる。
【０１７５】
なお、制御部８７は、上記枠９０内に、現在、カメラ装置１７で撮像されている画像を表示した際に、上記右ソフトキー８０Ｒの模式的な画像と共に「フォト」の文字を表示制御する。これは、右ソフトキー８０Ｒが押圧操作されると、前述の「スチルモード」に動作モードを戻すことを示している。
【０１７６】
制御部８７は、上記枠９０内に、現在、カメラ装置１７で撮像されている画像を表示している状態で右ソフトキー８０Ｒの押圧操作を検出すると、図３４（ｃ）で説明したように「スチルモード」の文字を所定時間、表示部１４に表示制御し、図３４（ｄ）を用いて説明したように、現在、カメラ装置１７で撮像されている画像を連続的に表示部１４に表示制御して動作モードを「スチルモード」に戻す。これにより、前述のように「スチルモード」における静止画像の撮像が可能となる。
【０１７７】
次に、図３５（ｂ）の状態で回転式操作キー１０の押圧操作（録画）を検出すると、制御部８７は、該回転式操作キー１０の押圧操作を検出したタイミングでカメラ装置１７により撮像されている動画像の取り込みを開始すると共に、マイクロホン装置９により集音された音声の取り込みを開始する。
【０１７８】
また、制御部８７は、録画の開始を検出すると、図３５（ｃ）に斜線で示すように、録画時間の経過と共にプログレスバーＰＢの上端から下端にかけて、所定色のバーが徐々に伸びていくかたちの表示制御を行うと共に、図３５（ｃ）に示すようにプログレスバーＰＢの上端近辺に、録画中であることを示す「ＲＥＣ」の文字を点滅表示する。
【０１７９】
上記プログレスバーＰＢは、全長が、１回の録画操作で録画可能な最大録画時間を示しており、これは例えば５秒程度となっている。プログレスバーＰＢ上を所定色のバーが徐々に伸びていくかたちの表示制御は、録画時間に対応して行われるため、ユーザは、徐々に伸びていく所定色のバーの長さで、大まかな録画時間を認識することができる。
【０１８０】
次に、録画時間が経過し、プログレスバーＰＢ上を所定色のバーが徐々に伸びていき、該バーがプログレスバーＰＢの下端に到達すると、制御部８７は、自動的に録画を停止制御するのであるが、この録画中、制御部８７は、回転式操作キー１０の模式的な画像と共に「録画停止の記号」を表示部１４の下領域に表示制御する。
【０１８１】
上記バーがプログレスバーＰＢの下端に到達する前に、回転式操作キー１０の押圧操作を検出すると、制御部８７は、ユーザにより録画の停止が指示されたものと判断し、録画を終了制御する。
【０１８２】
また、上記録画中において、制御部８７は、図１に示す左ソフトキー８０Ｌの模式的な画像と共に「中止」の文字を、表示部１４の下領域に表示制御する。この左ソフトキー８０Ｌの模式的な画像及び「中止」の文字は、録画中に左ソフトキー８０Ｌが押圧操作されると、録画が中止制御されることを示している。
【０１８３】
このため、ユーザは、録画を中止する場合には、左ソフトキー８０Ｌを押圧操作する。制御部８７は、録画中に左ソフトキー８０Ｌの押圧操作を検出すると、図３５（ｂ）の状態の表示画面を戻し、それまで録画した動画像情報を破棄する。そして、再度、回転式操作キー１０が押圧操作されたタイミングで録画を開始制御する。
【０１８４】
次に、上記バーがプログレスバーＰＢの下端に到達して録画が自動的に終了すると、或いは録画中に回転式操作キー１０が押圧操作され、強制的に録画が終了されると、制御部８７は、「自動再生モード」に移行し、図３５（ｄ）に示すように、録画された動画像及びこの動画像に対応する音声を自動再生し、動画像を表示部１４の枠９０内に表示制御すると共に、音声をスピーカ装置１５ｂを介して発音制御する。この際、制御部８７は、例えば表示部１４の左端領域に、表示部１４の縦方向に沿った長棒状のプログレスバーＰＢを表示制御する。
【０１８５】
この場合のプログレスバーＰＢの全長は、録画された動画像の録画時間を示している。制御部８７は、自動再生を開始制御すると、プログレスバーＰＢ上を所定色のバーが、該プログレスバーＰＢの上端から下端にかけて徐々に伸びていくように表示制御を行う。そして、録画された動画像の再生が終了するタイミングで、プログレスバーＰＢ上の所定色のバーが、該プログレスバーＰＢの下端に到達するように、該所定色のバーを表示制御する。
【０１８６】
このようなプログレスバーＰＢ上の所定色のバーが徐々に伸びていくかたちの表示制御は、再生時間に対応して行われるため、ユーザは、徐々に伸びていく所定色のバーの長さで、大まかな再生時間を認識することができる。
【０１８７】
次に、このような「自動再生モード」となると、制御部８７は、図３５（ｄ）に示すように、枠９０の下端部近辺に、回転式操作キー１０の模式的な画像と共に「一時停止の記号」を表示制御する。また、制御部８７は、この回転式操作キー１０の模式的な画像の下端部近辺に上下の矢印の記号と共に「Ｖｏｌ」の文字を表示制御する。
【０１８８】
この場合、回転式操作キー１０の模式的な画像及び「一時停止の記号」は、自動再生中に回転式操作キー１０を押圧操作すると、再生動作が一時停止制御されることを示している。
【０１８９】
また、上下の矢印の記号及び「Ｖｏｌ」の文字は、回転式操作キー１０の回転式操作に応じて、再生される音声の音声レベルをレベルアップ或いはレベルダウンすることができることを示している。
【０１９０】
ユーザは、自動再生中に、回転式操作キー１０を押圧操作して再生画像を一時停止し、或いは回転式操作キー１０を回転操作して音声レベルをレベルアップ或いはレベルダウンして、録画された画像及び録音された音声を確認することとなる。制御部８７は、自動再生中に、回転式操作キー１０の押圧操作を検出すると、動画像及び音声の自動再生を一時的に停止制御し、図３５（ｅ）に示すように、回転式操作キー１０が押圧操作された際に再生していた動画像に対応する静止画像を枠９０内に表示制御して、再生一時停止状態となる。
【０１９１】
また、制御部８７は、この再生一時停止状態となると、図３５（ｅ）に示すように枠９０の下端部近辺に、回転式操作キー１０の模式的な画像と共に「再生の記号」を表示制御する。
【０１９２】
この場合における回転式操作キー１０の模式的な画像及び「再生の記号」は、回転式操作キー１０を押圧操作すると、再生一時停止状態となっている動画像の再生が再開されることを示している。制御部８７は、再生一時停止状態時に回転式操作キー１０の押圧操作を検出すると、表示画面を図３５（ｄ）に示す自動再生時の表示画面に戻し、再生一時停止された箇所から動画及び音声の再生を再開制御する。このような自動再生により、ユーザは、録画された動画像の確認を行うこととなる。
【０１９３】
次に、このような自動再生が終了すると、制御部８７は、図３５（ｆ）に示すように、その動画像の最初の一コマとなる静止画像を枠９０内に表示制御する。また、枠９０の下端部の近辺に回転式操作キー１０の模式的な画像と共に「保存」の文字を表示制御する。
【０１９４】
この場合において、回転式操作キー１０の模式的な画像及び「保存」の文字は、回転式操作キー１０を押圧操作することで、自動再生された動画像が保存されることを示している。
【０１９５】
ユーザは、上記自動再生により確認した動画像を保存する場合、回転式操作キー１０を押圧操作する。制御部８７は、この回転式操作キー１０の押圧操作を検出すると、図３３に示すメモリ８８に上記動画像及び対応する音声を保存制御すると共に、この保存の完了後に、例えば図３５（ｇ）に示すように「データフォルダに保存しました。」等の保存完了を示すメッセージを表示部１４に表示制御する。
【０１９６】
また、制御部８７は、このメッセージを数秒間表示すると、表示画面を図３５（ｂ）を用いて説明した録画開始待ちの状態に戻す。これにより、連続して動画の録画を行う場合は、回転式操作キー１０を押圧操作するだけで、続けて次の動画の録画を可能とすることができる。
【０１９７】
これに対して、ユーザは、上記自動再生により確認した動画像を保存しない場合、前述のようにキャンセルキーとなっている電源入力キー８１（図１参照）を押圧操作する。制御部８７は、この電源入力キー８１の押圧操作を検出すると、例えば図３５（ｈ）に示すように「破棄しますか。」，「はい」，「いいえ」等の動画像の破棄か否かを問うメッセージを表示部１４に表示制御する。
【０１９８】
ユーザは、上記自動再生により確認した動画像を破棄する場合は、回転式操作キー１０を回転操作して「はい」の表示位置にカーソルＣＲを移動させ、該回転式操作キー１０を押圧操作する。
【０１９９】
この場合、制御部８７は、回転式操作キー１０の押圧操作を検出すると、表示部１４に待ち受け画像を表示制御して初期画面とし、当該「ムービーモード」を終了する。
【０２００】
［発光部の駆動制御］
次に、当該実施の形態の携帯電話機は、撮像時に被写体を照らすライトと、当該携帯電話機が撮像可能となっている状態であることを知らしめる発光部とが兼用されている。このため、前述の「スチルモード」及び「ムービーモード」において、カメラ装置１７による静止画像或いは動画像の撮像が可能となると、制御部８７により、発光部５８（発光体５８ａ）が点灯制御（或いは点滅制御でもよい。）され、撮像が開始されると、より高い輝度レベルで発光部５８が点灯制御されるようになっている。
【０２０１】
具体的には、発光部５８は、最も低い輝度レベルである第１の輝度レベルと、最も高い輝度レベルである第３の輝度レベルと、この第１及び第３の輝度レベルの中間レベルとなる第２の輝度レベルとの、計３段階の輝度レベルでの点灯制御が可能となっている。
【０２０２】
撮像開始時には、制御部８７は、デフォルトとして最も低い輝度レベルである第１の輝度レベルで発光部５８を点灯制御する。この状態で、ユーザにより図１に示す発光レベル切り替えキー８３が１回押圧操作されると、制御部８７は、中間レベルとなる第２の輝度レベルで発光部５８を点灯制御するが、この第２の輝度レベルで発光部５８を点灯制御している際に、発光レベル切り替えキー８３が１回押圧操作されると、制御部８７は、上記第１の輝度レベルで発光部５８を点灯制御する。
【０２０３】
すなわち、ユーザのマニュアル操作においては、上記第１の輝度レベル及び第２の輝度レベルの間でのみ切り替え可能となっており、制御部８７は、発光レベル切り替えキー８３が１回押圧操作される毎に、第１の輝度レベル→第２の輝度レベル→第１の輝度レベル→第２の輝度レベル・・・等のように、第１の輝度レベル及び第２の輝度レベルの間で交互に輝度レベルの切り替え制御を行う。
【０２０４】
また、制御部８７は、上記「スチルモード」において第２の輝度レベルが設定された場合には、図３４（ｄ）に示すように発光マーク９５を表示部１４の右上領域に表示制御して、第２の輝度レベルが設定されていることをユーザに対して知らせるようになっている。
【０２０５】
同様に、「ムービーモード」において第２の輝度レベルが設定された場合にも、制御部８７は、図３５（ｂ）に示すように発光マーク９６を枠９０の右下部近辺に表示制御して、第２の輝度レベルが設定されていることをユーザに対して知らせるようになっている。
【０２０６】
そして、制御部８７は、マニュアル操作により第２の輝度レベルが設定されている場合のみ、上記静止画像或いは動画像の撮像が開始されたタイミングで、上記最も高い輝度レベルである第３の輝度レベルで発光部５８を点灯駆動する。
【０２０７】
このような輝度レベルの制御は、以下の理由によるものである。
【０２０８】
まず、第１の輝度レベルが設定された状態で撮像が開始されるということは、被写体に対して十分な光量の光が照射されており、これ以上の光は必要無いと考えることができる。
【０２０９】
このため、第１の輝度レベルが設定された状態で撮像が開始された場合には、制御部８７は、設定された第１の輝度レベルのまま発光部５８を点灯制御して、撮像が行われていることを、この発光部５８の点灯制御により知らしめるに止める。
【０２１０】
これに対して、輝度レベルが第１の輝度レベルから第２の輝度レベルに意図的に変更された場合、この第２の輝度レベルの状態で撮像が開始されるということは、被写体に対して十分な光量の光が照射されていない可能性が高い。
【０２１１】
このため、第２の輝度レベルが設定された状態で撮像が開始された場合には、制御部８７は、上記第３の輝度レベルで発光部５８を点灯制御して、撮像が行われていることを知らしめると共に、この発光部５８をライトとして用いるのである。
【０２１２】
このような発光部５８の点灯制御の流れを、図３６のフローチャートを用いて説明する。この図３６のフローチャートは、上述の「スチルモード」或いは「ムービーモード」での撮像がユーザにより指定されることでスタートとなる。
【０２１３】
まず、ステップＳ１１では、制御部８７が、カメラ装置１７を使用可能状態又は使用不能状態に切り替えるために設けられたスイッチＢが「オン」となっているか否かを判別する。スイッチＢが「オン」にされているときにはカメラ装置１７が使用不能状態にあるため、制御部８７は、引き続きスイッチＢの状態を監視し、スイッチＢの「オフ」を検出したタイミングで、ステップＳ１２に処理ステップを移行する。
【０２１４】
ステップＳ１２では、カメラ装置１７が使用可能状態となったため、制御部８７が、撮像レンズ５３を介して取り込まれる画像を反転するために設けられたスイッチであるスイッチＡが「オン」となっているか否かを判別する。
【０２１５】
このスイッチＡのオンオフ状態は、カメラ装置１７が向けられている方向（撮像方向）を示す。すなわち、スイッチＡが「オン」となっている場合には、カメラ装置１７が当該携帯電話機の外側（図１に示す第１の筐体１の後方向＝相手を撮像する方向）に向けられていることを示し、スイッチＡが「オフ」となっている場合には、カメラ装置１７が当該携帯電話機の内側（図１に示す第１の筐体１の前方向＝自分を撮像する方向）に向けられていることを示す。
【０２１６】
ここで、前述のように当該実施の形態の携帯電話機は、発光部５８を、撮像時に被写体に光を照射するライトとして用いる他、カメラ装置１７が撮像状態となっていることを知らしめる発光部として兼用しているのであるが、自分を撮像するときには（カメラ装置１７が当該携帯電話機の内側の方向を向いているときには）、撮像状態となっていることを第三者に知らしめる必要はないものと考えられる。
【０２１７】
このため、上記ステップＳ１２において、カメラ装置１７が自分を撮像する方向に向いており、スイッチＡが「オフ」となっていると判断した場合には、制御部８７は、その処理ステップをステップＳ１６に移行し、シャッタ（この場合は、上記回転式操作キー１０）のオン操作の待ち状態となる。
【０２１８】
これに対して、上記ステップＳ１２において、カメラ装置１７が相手側を撮像する方向に向いており、スイッチＡが「オン」となっていると判断した場合には、カメラ装置１７が撮像可能状態となっていることを第三者に知らしめる必要がある。このため、制御部８７は、その処理ステップをステップＳ１３に移行し、デフォルトの輝度レベルである第１の輝度レベルで発光部５８を点灯制御する。
【０２１９】
これにより、カメラ装置１７が撮像可能状態となっていることを第三者に知らしめることができ、盗撮等の間違った行為を強力に防止することができる。
【０２２０】
なお、この例では、発光部５８を点灯制御することとして説明を進めるが、これは点滅制御でもよいし、発光色を変える制御でもよい。また、音声やメッセージを発音制御してもよいし、上記発光部５８の点灯制御や点滅制御と、上記音声やメッセージ等の発音制御とを併用するようにしてもよい。
【０２２１】
すなわち、カメラ装置１７が撮像可能状態となっていることを第三者に知らしめることができれば、どのような処理を行ってもよいものと理解されたい。
【０２２２】
次に、当該携帯電話機においては、前述のように第１の輝度レベルと第２の輝度レベルを切り替え可能となっている。このため、制御部８７は、上記ステップＳ１３において第１の輝度レベルで発光部５８を点灯制御すると、ステップＳ１４において、発光レベル切り替えキー８３（図１参照）が押圧操作され、輝度レベルのアップが指示されたか否かを判別する。
【０２２３】
制御部８７は、輝度レベルのアップの指示を検出すると、ステップＳ２１において、発光部５８の現在の輝度レベルが最大（ＭＡＸ）であるか否かを判別する。すなわち、この例の携帯電話機の場合、マニュアル操作では、第１の輝度レベルと第２の輝度レベルの間でのみ輝度レベルの切り替えが可能となっているため、最大の輝度レベルは第２の輝度レベルということとなる。
【０２２４】
従って、制御部８７は、このステップＳ２１において、発光部５８の輝度レベルが第２の輝度レベルであるか否かを判別する。そして、現在の輝度レベルが第１の輝度レベルの場合は、第２の輝度レベルに輝度レベルをアップすることができるため、ステップＳ２２において、発光部５８を第２の輝度レベルで点灯制御し、上記ステップＳ１４の処理ステップに戻る。
【０２２５】
なお、制御部８７は、上記「スチルモード」時に発光部５８を第２の輝度レベルで点灯制御した場合には、図３４（ｄ）に示したように発光マーク９５を表示部１４の右上領域に表示制御して、第２の輝度レベルが設定されていることをユーザに対して知らしめる。制御部８７は、上記「ムービーモード」時に発光部５８を第２の輝度レベルで点灯制御した場合には、図３５（ｂ）に示したように発光マーク９６を表示部１４の右下領域に表示制御して、第２の輝度レベルが設定されていることをユーザに対して知らしめる。
【０２２６】
一方、上記ステップＳ２１において、現在の輝度レベルが既に第２の輝度レベルに設定されていると判断した場合は、これ以上に輝度レベルをアップすることができないため、制御部８７は、ステップＳ１５に処理ステップを移行する。
【０２２７】
次に、上記ステップＳ１４においてレベルアップの指示を検出しない場合、及び上記ステップＳ２１において、現在の輝度レベルが第２の輝度レベルに設定されているものと判断した場合、制御部８７は、ステップＳ１５において、輝度レベルのダウンが指示されたか否かを判別する。
【０２２８】
制御部８７は、輝度レベルのダウンの指示を検出すると、ステップＳ２３において、発光部５８の現在の輝度レベルが最小（ＭＩＮ＝第１の輝度レベル）であるか否かを判別する。そして、現在の輝度レベルが第２の輝度レベルの場合は、第１の輝度レベルに輝度レベルをダウンすることができるため、ステップＳ２４において、発光部５８を第１の輝度レベルで点灯制御し、上記ステップＳ１４の処理ステップに戻る。
【０２２９】
なお、制御部８７は、上記「スチルモード」時に発光部５８を第１の輝度レベルで点灯制御した場合には、図３４（ｄ）に示した発光マーク９５を表示部１４に非表示制御する。また、制御部８７は、上記「ムービーモード」時に発光部５８を第１の輝度レベルで点灯制御した場合には、図３５（ｂ）に示す発光マーク９６を表示部１４に非表示制御する。
【０２３０】
次に、制御部８７は、ステップＳ１６において、回転式操作キー１０が押圧操作され、静止画像或いは動画像の撮像開始が指定されたか否かを判別する（シャッターオン？）。制御部８７は、回転式操作キー１０の押圧操作を検出するまでの間は、ステップＳ１４，Ｓ１５、ステップＳ２１，Ｓ２２、及びステップＳ２３，Ｓ２４の輝度レベル制御を繰り返し実行し、回転式操作キー１０の押圧操作を検出したタイミングでステップＳ１７に処理ステップを移行する。
【０２３１】
次に、ステップＳ１７では、制御部８７が、現在設定されている輝度レベルに対応する輝度レベルで発光部５８を点灯制御すると共に、カメラ装置１７で撮像された静止画像或いは動画像の取り込みを開始する。そして、この撮像が終了したタイミングで、ステップＳ１８において、発光部５８を消灯制御する。
【０２３２】
すなわち、前述のように第１の輝度レベルが設定された状態で撮像が開始されるということは、被写体に対して十分な光量の光が照射されており、これ以上の光は必要無いと考えることができる。
【０２３３】
このため、第１の輝度レベルが設定された状態で撮像が開始された場合には、制御部８７は、上記ステップＳ１７において、設定された第１の輝度レベルのまま発光部５８を点灯制御して、撮像が行われていることを、この発光部５８の点灯制御により第三者に対して知らしめるに止める。
【０２３４】
これに対して、輝度レベルが第１の輝度レベルから第２の輝度レベルに意図的に変更されていた場合、この第２の輝度レベルの状態で撮像が開始されるということは、被写体に対して十分な光量の光が照射されていない可能性が高い。
【０２３５】
このため、第２の輝度レベルが設定された状態で撮像が開始された場合には、制御部８７は、上記第３の輝度レベルで発光部５８を点灯制御して、撮像が行われていることを第三者に対して知らしめると共に、この発光部５８をライトとして用いる。
【０２３６】
なお、このように点灯制御された発光部５８は、「スチルモード」時においては、１回の静止画像の撮像が終了した際に上記ステップＳ１８で消灯制御され、「ムービーモード」時においては、１回の動画像の撮像が終了した際に上記ステップＳ１８で消灯制御される。そして、この消灯制御された発光部５８は、撮像された静止画像或いは動画像の保存が終了し、カメラ装置１７により撮像が可能となった際に、再び点灯制御される（撮像終了〜保存終了までの間、発光部５８を消灯制御）。制御部８７は、このような再点灯制御を行う場合は、前回の撮像時における輝度レベルで発光部５８を再点灯制御する（＝再点灯時には、前回の輝度レベルが保持される。）。
【０２３７】
これにより、撮像に必要なとき以外に発光部５８を無駄に点灯制御してバッテリーが無意味に消耗される不都合を防止することができる。
【０２３８】
また、この例では、発光部５８は、回転式操作キー１０が押圧操作された際に（シャッターオンのタイミングで）、設定されている輝度レベルに対応する輝度レベルで点灯制御されることとしたが、制御部８７は、光センサにより携帯電話機の周囲の光量を検出し、この検出した光量に応じた輝度レベルで発光部５８を点灯制御するようにしてもよい。
【０２３９】
次に、撮像された静止画像或いは動画像は、図３４（ｅ），（ｆ）及び図３５（ｆ）〜（ｈ）を用いて説明したように、保存或いは破棄（キャンセル）されるのであるが、ステップＳ１９では、制御部８７が、この撮像された静止画像或いは動画像の保存が終了したか、或いはキャンセルがなされたかを判別する。そして、この保存終了或いはキャンセルを検出したタイミングで処理ステップをステップＳ２０に移行する。
【０２４０】
ステップＳ２０では、制御部８７が撮像が終了したか否かを判別し、撮像が終了したものと判別したタイミングで当該図３６に示すフローチャートの各ルーチンの実行を終了する。
【０２４１】
このステップＳ２０において、撮像が終了していないものと判別した場合、制御部８７は、その処理ステップをステップＳ１１に戻し、前述のステップＳ１１〜当該ステップＳ２０を繰り返し実行する。
【０２４２】
なお、上記「スチルモード」時及び「ムービーモード」時に着信を検出した場合、制御部８７は、該「スチルモード」或いは「ムービーモード」の実行を一旦中断し、通話を行う「通話モード」に移行して通話に関する制御を行う。そして、通話が終了したタイミングで、上記中断していた「スチルモード」或いは「ムービーモード」の実行を再開制御する。
【０２４３】
［テロップの入力動作］
次に、当該実施の形態の携帯端末装置は、撮像した動画像の所望の区間にテロップを入力することができるようになっている。このテロップの入力は、一旦、メモリ８８に保存した動画像、及び撮像が終了して保存する前の動画像に対してそれぞれ可能となっている。
【０２４４】
以下、撮像が終了した動画像を保存する際にテロップを入力する動作を説明するが、前述のようにテロップは、一旦、メモリ８８に保存した動画像、及びメモリ８８に保存する前の動画像に対してそれぞれ可能である。そして、これら両者の違いは、メモリ８８に保存済みの動画像であるか、メモリ８８に保存する前の動画像であるかの違いだけであり、メモリ８８に保存済みの動画像に対してテロップの入力を行う場合は、メモリ８８に記憶されている動画像を読み出す動作のみ、以下に説明する保存する前の動画像に対してテロップを入力する動作と異なる。
【０２４５】
このため、メモリ８８に保存済みの動画像に対してテロップの入力を行う動作は、以下のメモリ８８に保存する前の動画像に対してテロップを入力する動作の説明を参照されたい。
【０２４６】
まず、上記「ムービーモード」において動画像の撮像が終了すると、図３５（ｄ），（ｅ）を用いて説明したように、撮像された動画像が自動再生され、この自動再生後に、図３５（ｆ）を用いて説明したように、その動画像の最初の一コマとなる静止画像が枠９０内に表示される。そして、枠９０の下端部の近辺に回転式操作キー１０の模式的な画像と共に「保存」の文字が表示されるのであるが、この際、図３３に示す制御部８７は、図１に示す左ソフトキー８０Ｌの模式的な画像と共に、「機能」の文字を表示部１４に表示制御する。
【０２４７】
この場合において、左ソフトキー８０Ｌの模式的な画像及び「機能」の文字は、左ソフトキー８０Ｌを押圧操作することで機能リストの表示がなされることを示している。制御部８７は、上記図３５（ｆ）の状態で左ソフトキー８０Ｌの押圧操作を検出すると、図３７（ａ）に示すように、例えば「再生」，「アフレコ（アフターレコーディングの意）」，「テロップ」，「撮り直し」・・・等の各機能リストを表示部１４に表示制御する。また、制御部８７は、カーソルＣＲを表示制御し、回転式操作キー１０の模式的な画像と共に「選択」の文字を表示制御する。さらに制御部８７は、上記左ソフトキー８０Ｌの模式的な画像と共に「リスト閉」の文字を表示制御する。
【０２４８】
この場合における回転式操作キー１０の模式的な画像及び「選択」の文字は、回転式操作キー１０を回転操作することでカーソルＣＲが移動し、該回転式操作キー１０を押圧操作することで、上記機能リストの中から所望の機能を選択可能であることを示している。
【０２４９】
このため、この場合、ユーザは、回転式操作キー１０を回転操作してカーソルＣＲを「テロップ」の文字の表示位置に移動操作し、回転式操作キー１０を押圧操作する。
【０２５０】
なお、この場合における左ソフトキー８０Ｌの模式的な画像及び「リスト閉」の文字は、左ソフトキー８０Ｌが押圧操作されると、現在表示されている機能リストが閉じられることを示している。この場合、左ソフトキー８０Ｌの押圧操作を検出すると、制御部８７は、機能リストを閉じて、表示画面を図３５（ｆ）に示す表示画面に戻す。
【０２５１】
次に、ユーザにより上記カーソルＣＲが「テロップ」の文字の表示位置に移動操作され回転式操作キー１０が押圧操作されると、制御部８７は、「テロップ入力モード」となり、図３７（ｂ）に示すように「新規作成」，「追加」，「編集」，「消去」のテロップ入力メニューと共にカーソルＣＲを表示部１４に表示制御する。
【０２５２】
また制御部８７は、回転式操作キー１０の模式的な画像と共に「選択」の文字を表示制御する。この回転式操作キー１０の模式的な画像及び「選択」の文字は、回転式操作キー１０を回転操作することでカーソルＣＲが移動し、該回転式操作キー１０を押圧操作することで、上記テロップ入力メニューの中から所望のメニューを選択可能であることを示している。
【０２５３】
このため、この場合、ユーザは、回転式操作キー１０を回転操作してカーソルＣＲを「新規作成」の文字の表示位置に移動操作し、回転式操作キー１０を押圧操作する。
【０２５４】
なお、テロップの「追加」，「編集」，「消去」を行う場合は、上記カーソルＣＲをこれら各文字の表示位置に移動させて回転式操作キー１０を押圧操作する。これにより、テロップが入力された動画像に対してさらにテロップの入力を行う「追加」、入力済みのテロップの編集作業を行う「編集」、或いは入力したテロップを消去する「消去」が実行される。
【０２５５】
また制御部８７は、図３７（ｂ）に示すように、右ソフトキー８０Ｒの模式的な画像と共に「完了」の文字を、左ソフトキー８０Ｌの模式的な画像と共に「中止」の文字を、それぞれ表示制御する。
【０２５６】
この場合制御部８７は、右ソフトキー８０Ｒの押圧操作を検出すると、テロップの入力作業が完了したものとして、表示画面を図３５（ｆ）に示す表示画面に戻す。
【０２５７】
また制御部８７は、左ソフトキー８０Ｌの押圧操作を検出すると、テロップの入力作業の中止指示がなされたものと判断し、表示部１４に対して、例えば「編集をキャンセルしてもよいですか」等のキャンセルの是非を問うメッセージと共に、「キャンセルして戻る」及び「編集を継続」の文字をそれぞれ表示制御する。そして、ユーザにより「キャンセルして戻る」が選択された場合、表示画面を図３５（ｆ）に示す表示画面に戻す（中止処理）。また、ユーザにより「編集を継続」が選択された場合、表示画面を図３７（ｂ）に示すテロップ入力メニューの表示画面に戻す。
【０２５８】
次に、制御部８７は、上記「新規作成」のテロップ入力メニューの選択を検出すると、図３７（ｃ）に示すように、テロップの入力対象となる動画像（先程撮像した動画像）の最初の一コマとなる静止画像を枠９０内に表示制御する。また、枠９０の下端部に沿ってプログレスバーＰＢを表示制御し、このプログレスバーＰＢの下端近辺に回転式操作キー１０の模式的な画像と共に「開始」の文字を表示制御する。さらに、右ソフトキー８０Ｒの模式的な画像と共に「始点」の文字を、左ソフトキー８０Ｌの模式的な画像と共に「中止」の文字を、それぞれ表示制御する。
【０２５９】
この場合において、回転式操作キー１０の模式的な画像及び「開始」の文字は、回転式操作キー１０を押圧操作することで、テロップの入力を行う動画像が自動再生されることを示している。また、右ソフトキー８０Ｒの模式的な画像及び「始点」の文字は、右ソフトキー８０Ｒが押圧操作された際の動画像の再生時刻が、入力されるテロップの表示開始位置（始点）となることを示している。
【０２６０】
さらに、左ソフトキー８０Ｌの模式的な画像及び「中止」の文字は、左ソフトキー８０Ｌの押圧操作で当該テロップの入力作業が中止されることを示している。この左ソフトキー８０Ｌが押圧操作された場合は、上記「中止処理」が行われることは前述のとおりである。
【０２６１】
図３７（ｃ）に示す表示画面において、ユーザは、動画像の開始時刻をテロップの始点としたい場合、右ソフトキー８０Ｒを押圧操作する。この押圧操作がなされると、制御部８７は、動画像の開始時刻を、一つ目のテロップの始点として記憶する。
【０２６２】
これに対して、この動画像の開始時刻以降の再生時刻をテロップの始点としたい場合、ユーザは、回転式操作キー１０を押圧操作する。制御部８７は、この回転式操作キー１０の押圧操作を検出すると、図３７（ｄ）に示すように動画像の自動再生を開始制御する。また、制御部８７は、回転式操作キー１０の模式的な画像と共に「再生一時停止の記号」を、右ソフトキー８０Ｒの模式的な画像と共に「始点」の文字を、左ソフトキー８０Ｌの模式的な画像と共に「機能」の文字をそれぞれ表示部１４に表示制御する。
【０２６３】
この場合における回転式操作キー１０の模式的な画像及び「再生一時停止の記号」は、回転式操作キー１０を押圧操作することで、自動再生されている動画像が一時停止制御されることを示している。また、自動再生されている動画像が一時停止制御されると、回転式操作キー１０の模式的な画像と共に「再生の記号」が表示されるようになっている。この回転式操作キー１０の模式的な画像及び「再生の記号」は、回転式操作キー１０を押圧操作することで動画像の自動再生が再開されることを示している。
【０２６４】
このため、ユーザは、回転式操作キー１０を押圧操作することで、所望のタイミングで自動再生を一時停止し、或いは自動再生を再開しながらテロップの始点を検索することとなる。そして、テロップの始点となる動画像が再生されたタイミングで、上記「始点」の文字に対応する右ソフトキー８０Ｒを押圧操作する。制御部８７は、右ソフトキー８０Ｒの押圧操作を検出すると、該右ソフトキー８０Ｒが押圧操作された際に再生されていた動画像の再生時刻を、一つ目のテロップの始点として記憶する。
【０２６５】
なお、図３７（ｄ）に示す表示画面において、左ソフトキー８０Ｌが押圧操作されると、制御部８７は、図３７（ｅ）に示すように「やり直し」，「編集中止」の文字及びカーソルＣＲを表示部１４に表示制御する。また、制御部８７は、回転式操作キー１０の模式的な画像と共に「選択」の文字を、左ソフトキー８０Ｌの模式的な画像と共に「リスト閉」の文字をそれぞれ表示制御する。
【０２６６】
ユーザは、テロップの入力のやり直し或いは編集を中止したい場合に、図３７（ｄ）の表示画面において左ソフトキー８０Ｌを押圧操作し、図３７（ｅ）に示す表示画面を表示させ、回転式操作キー１０を回転操作してテロップの入力の「やり直し」或いは「編集中止」を選択する。
【０２６７】
制御部８７は、ユーザにより、上記テロップの入力の「やり直し」が選択された場合は、表示画面を図３７（ｃ）の表示画面に戻し、「編集中止」が選択された場合は、表示画面を図３５（ｆ）の表示画面に戻す。
【０２６８】
また、制御部８７は、上記「リスト閉」の文字に対応する左ソフトキー８０Ｌの押圧操作を検出した場合、この図３７（ｅ）に示す機能リストを閉じ、表示画面を図３７（ｄ）に示す表示画面に戻す。
【０２６９】
次に、このようにしてテロップの始点を記憶すると、制御部８７は、図３７（ｆ）に示すように右ソフトキー８０Ｒの模式的な画像と共に「終点」の文字を表示部１４に表示制御する。この右ソフトキー８０Ｒの模式的な画像及び「終点」の文字は、右ソフトキー８０Ｒを押圧操作することで、テロップの終点が指定されることを示している。
【０２７０】
ユーザは、回転式操作キー１０を押圧操作することで、自動再生される動画像の一時停止及び再生を繰り返しながらテロップの終点を検索する。そして、所望の動画像が再生されたタイミングで右ソフトキー８０Ｒを押圧操作する。
【０２７１】
制御部８７は、この場合、右ソフトキー８０Ｒが押圧操作された際に再生していた動画像の再生時刻を、一つ目のテロップの終点として記憶する。
【０２７２】
次に、このように一つ目のテロップの始点及び終点が決定されると、制御部８７は、図３７（ｇ）に示す「データ編集メニュー」を表示部１４に表示制御する。
【０２７３】
この「データ編集メニュー」としては、テロップの文字入力を行う際に選択する「文字入力」のメニューと、入力した文字の色を指定する際に選択する「文字色」のメニューと、入力する文字の背景の色を指定する際に選択する「背景色」のメニューとが表示される。
【０２７４】
また、この「データ編集メニュー」としては、後に説明するハイパーリンクの種別を指定する際に選択する「ハイパーリンク種別」のメニュー，ハイパーリンクとなるデータを入力を指定する際に選択する「ハイパーリンクデータ」のメニュー、及びハイパーリンクの文字色を指定する際に選択する「ハイパー文字色」のメニューが表示される。
【０２７５】
なお、これらの「データ編集メニュー」を、表示部１４の表示領域に一度に表示困難な場合には、回転式操作キー１０の回転操作に対応してスクロール表示されるようにすればよい。
【０２７６】
また、制御部８７は、これら「データ編集メニュー」の中から所望のメニューを選択するためのカーソルＣＲと、右ソフトキー８０Ｒの模式的な画像と共に「完了」の文字と、左ソフトキー８０Ｌの模式的な画像と共に「中止」の文字をそれぞれ表示制御する。右ソフトキー８０Ｒが押圧操作された場合の「完了動作」及び左ソフトキー８０Ｌが押圧操作された場合の「中止動作」は前述のとおりである。
【０２７７】
このような「データ編集メニュー」の表示画面において、ユーザは、まず、テロップとなる文字の入力を行う。これは、回転式操作キー１０を回転操作してカーソルＣＲを「文字入力」の文字の表示位置に移動操作し、回転式操作キー１０を押圧操作することで行う。
【０２７８】
制御部８７は、カーソルＣＲが「文字入力」の文字の表示位置に移動操作した際に回転式操作キー１０が押圧操作されると、図３７（ｈ）に示すように、文字入力画面を表示部１４に表示制御する。
【０２７９】
文字の入力は以下のように行われる。すなわち、図１に示す操作部８４のテンキー１ａ等には、一つのキーに対して複数の文字，数字，記号等が割り当てられている。また、各文字に対しては、複数の入力候補が割り当てられている。
【０２８０】
例えば「２」のテンキーには、か行の文字（か，き，く，け，こ）の文字が割り当てられており、これら各文字には、例えば「こ」の文字に対して「こ」，「事」，「これ」，「この」，「こんな」等の複数の入力候補が割り当てられている。
【０２８１】
制御部８７は、テンキーの押圧操作を検出する毎に、そのテンキーに割り当てられている文字を切り替えて表示する。例えば、上記か行の各文字が割り当てられている「２」のテンキーが押圧操作される毎に、制御部８７は、「か」→「き」→「く」→「け」→「こ」→「か」→「き」・・・の順に各文字を切り替えて表示する。このため、ユーザは、テンキーの押圧操作することで、所望の文字を選択する。
【０２８２】
このように所望の文字が選択されると、制御部８７は、表示部１４の下領域あたりに、選択された文字の入力候補を表示する。例えば、「こ」の文字がユーザにより選択された場合、この選択された「こ」の文字に割り当てられている「こ」，「事」，「これ」，「この」，「こんな」等の複数の入力候補を表示する。
【０２８３】
この入力候補は、ユーザが回転式操作キー１０を回転操作して、カーソルＣＲを所望の入力候補の表示位置に移動し、このタイミングで回転式操作キー１０を押圧操作することで選択されるようになっている。
【０２８４】
制御部８７は、回転式操作キー１０の押圧操作を検出すると、カーソルＣＲが位置している文字を、入力が決定された文字として図３７（ｈ）に示す文字入力画面に表示する。
【０２８５】
このように、ユーザは、まず、テンキーで所望の文字を選択し、次に、その選択した文字に対応して表示される入力候補の中から所望の入力候補を選択する。これにより、この入力候補から選択された文字が、ユーザにより決定された文字として上記文字入力画面に表示されるようになっている。
【０２８６】
なお、テロップとして入力可能な文字数は、例えばテロップの表示領域に一度に表示可能な文字数（例えば２５文字等）に制限してもよい。
【０２８７】
ユーザは、このように１文字ずつ文字を選択的に入力することで、テロップとなる文字等の入力を行う。そして、テロップとなる文字を入力し終わった際に、カーソルＣＲを、図３７（ｈ）の入力候補の表示領域に示す「閉じる」の文字に移動操作して回転式操作キー１０を押圧操作する。
【０２８８】
制御部８７は、カーソルＣＲが上記「閉じる」の文字に移動され回転式操作キー１０が押圧操作された場合、テロップとなる文字等の入力が終了したものと認識し、図３７（ｉ）に示すように、表示画面を「データ編集メニュー」の表示画面に戻すと共に、上記入力された文字等のテロップを表示する。この図３７（ｉ）は、「こんにちは。」との文章がテロップとして入力された例を示している。
【０２８９】
次にユーザは、このようにしてテロップの入力を行うと、図３７（ｉ）の表示画面において、回転式操作キー１０を回転操作してカーソルＣＲを「文字色」の表示位置に移動操作し、該回転式操作キー１０を押圧操作して、上記入力したテロップの文字の文字色を選択する。
【０２９０】
制御部８７は、図３７（ｉ）の表示画面において、カーソルＣＲが「文字色」の表示位置に位置している際に回転式操作キー１０の押圧操作を検出すると、図３８（ａ）に示すように「文字色」の候補となる文字色パレットを表示部１４に表示制御する。この例の場合、文字色パレットは、黒，白，赤，緑，青，黄，ピンク，水色，茶の計９色で構成されている。
【０２９１】
ユーザは回転式操作キー１０を回転操作することで、カーソルＣＲを文字色パレット上の所望の文字色の表示位置に移動操作し、このタイミングで回転式操作キー１０を押圧操作する。制御部８７は、回転式操作キー１０の押圧操作を検出すると、カーソルＣＲが位置している文字色を、図３７（ｉ）に示す文字色の表示領域に表示制御する。
【０２９２】
次にユーザは、このようにして文字色の選択を行うと、図３７（ｉ）の表示画面において、回転式操作キー１０を回転操作してカーソルＣＲを「背景色」の表示位置に移動操作し、該回転式操作キー１０を押圧操作して、上記入力したテロップの文字の背景となる背景色を選択する。
【０２９３】
制御部８７は、図３７（ｉ）の表示画面において、カーソルＣＲが「背景色」の表示位置に位置している際に回転式操作キー１０の押圧操作を検出すると、図３８（ｂ）に示すように「背景色」の候補となる背景色パレットを表示部１４に表示制御する。この例の場合、背景色パレットは、黄緑，薄水色，オレンジ，緑，水色，ピンク，青，黒，白の計９色で構成されている。
【０２９４】
ユーザは回転式操作キー１０を回転操作することで、カーソルＣＲを背景色パレット上の所望の背景色の表示位置に移動操作し、このタイミングで回転式操作キー１０を押圧操作する。制御部８７は、回転式操作キー１０の押圧操作を検出すると、カーソルＣＲが位置している背景色を、図３７（ｉ）に示す背景色の表示領域に表示制御する。
【０２９５】
これにより、図３７（ｉ）に示すようにデータ編集画面には、それまでユーザにより選択されたテロップの文字，テロップの文字色及びテロップの背景色が一覧的に表示されることとなる。
【０２９６】
次にユーザは、後に説明するハイパーリンクの入力を行わない場合は、図３７（ｉ）に示すデータ編集画面により、それまで選択したテロップの文字，テロップの文字色及びテロップの背景色を確認し、この入力状態で良いと判断した場合に、右ソフトキー８０Ｒを押圧操作する。
【０２９７】
この場合の右ソフトキー８０Ｒの押圧操作は、テロップの入力作業の「完了」を指示するようになっており、制御部８７は、該右ソフトキー８０Ｒの押圧操作を検出すると、図３８（ｃ）に示すように例えば「作成しました」等のテロップの入力作業の「完了」を示すメッセージを表示部１４に所定時間（数秒）表示制御し、ユーザにより入力されたテロップの文字、文字色及び背景色を一旦記憶する（完了処理）。
【０２９８】
そして制御部８７は、このメッセージの表示後、図３８（ｄ）に示すように、テロップの入力が行われた動画像の最初の一コマとなる静止画像を枠９０内に表示制御する。また、枠９０の下端部に沿ってプログレスバーＰＢを表示制御し、このプログレスバーＰＢの下端近辺に回転式操作キー１０の模式的な画像と共に「再生」の文字を表示制御する。さらに、右ソフトキー８０Ｒの模式的な画像と共に「確定」の文字を、左ソフトキー８０Ｌの模式的な画像と共に「中止」の文字を、それぞれ表示制御する。
【０２９９】
この場合において、回転式操作キー１０の模式的な画像及び「再生」の文字は、回転式操作キー１０を押圧操作することで、テロップが入力された動画像の自動再生が行われることを示している。また、右ソフトキー８０Ｒの模式的な画像及び「確定」の文字は、右ソフトキー８０Ｒが押圧操作されると、入力されたテロップが確定されることを示している。
【０３００】
さらに、左ソフトキー８０Ｌの模式的な画像及び「中止」の文字は、左ソフトキー８０Ｌの押圧操作で当該テロップの入力作業が中止されることを示している。この左ソフトキー８０Ｌが押圧操作された場合は、上記「中止処理」が行われることは前述のとおりである。
【０３０１】
このような図３８（ｄ）に示す表示画面において、ユーザは、入力したテロップを確認しないで記憶する場合は、該入力したテロップの「確定」に対応する右ソフトキー８０Ｒを押圧操作する。これにより、制御部８７により後述の確定処理が行われる。
【０３０２】
これに対して、図３８（ｄ）に示す表示画面において、ユーザは、入力したテロップを確認する場合は、上記「再生」に対応する回転式操作キー１０を押圧操作する。制御部８７は、この場合において回転式操作キー１０の押圧操作を検出すると、図３８（ｅ）に示すように動画像の再生を開始すると共に、前述のように一旦記憶したテロップの始点，終点、テロップの文字、文字色及び背景色を読み出す。そして、自動再生している動画像の再生時刻と、上記テロップの始点とを比較し、該動画像の再生時刻と上記テロップの始点とが一致したタイミングで、上記読み出したテロップを、ユーザにより選択された文字色及び背景色で表示する。
【０３０３】
また、制御部８７は、このようにテロップの表示を開始すると、今度は自動再生している動画像の再生時刻と、上記テロップの終点とを比較し、該動画像の再生時刻と上記テロップの終点とが一致したタイミングで、上記テロップの表示を終了する。
【０３０４】
これにより、ユーザにより入力されたテロップが、ユーザにより選択されたタイミングで、かつ、ユーザにより選択された文字色及び背景色で表示されることとなる。
【０３０５】
ユーザは、図３８（ｅ），（ｆ）に示すように、回転式操作キー１０を押圧操作することで、自動再生される動画像を一時停止或いは再生しながら、入力したテロップの文字，文字色，背景色，表示タイミング等を確認する。
【０３０６】
制御部８７は、このようなテロップ入りの自動再生が終了すると、表示画面を図３８（ｄ）に示す表示画面に戻す。ユーザは、上記自動再生による確認でテロップがそのままの状態で良い場合に右ソフトキー８０Ｒを押圧操作する。
【０３０７】
前述のように、図３８（ｄ）に示す表示画面においては、右ソフトキー８０Ｒの押圧操作は、入力したテロップの確定を意味する。このため、制御部８７は、右ソフトキー８０Ｒの押圧操作を検出すると、上記一時的に記憶していたテロップの始点，終点、テロップの文字、文字色及び背景色を、対応する動画像に関連付けてメモリ８８に記憶制御すると共に、図３８（ｇ）に示すように「テロップのデータ編集を完了しました」等の、テロップのデータ編集が完了した旨のメッセージを表示部１４に表示制御する。
【０３０８】
以上が、一つのテロップの入力が完了するまでの流れである。制御部８７は、このように一つのテロップのデータ編集が完了すると、表示画面を、図３５（ｆ）に示した表示画面に戻す。ユーザは、このテロップが入力された動画像を保存する場合は、図３５（ｆ）に示す示画面において、回転式操作キー１０を押圧操作する。これにより、上記テロップが入力された動画像がメモリ８８に記憶されることとなる。
【０３０９】
また、ユーザは、テロップの入力を再度行う場合（追加）、或いは入力したテロップの編集や消去を行う場合、図３５（ｆ）の表示画面において、「機能」に対応する左ソフトキー８０Ｌを押圧操作する。
【０３１０】
これにより、図３７（ａ）に示したように機能リストが表示され、この機能リストから「テロップ」のリストが選択された場合は、制御部８７がテロップの入力モードとなり、図３７（ｂ）に示すように「新規作成」，「追加」，「編集」，「消去」等のテロップの入力メニューが表示される。
【０３１１】
ユーザは、さらにテロップを追加する場合には、この入力メニューの中から「追加」を選択し、テロップの編集を行う場合には、この入力メニューの中から「編集」を選択し、テロップの消去を行う場合には、この入力メニューの中から「消去」を選択する。そして、ユーザは、上述の入力作業を繰り返し行うことで、再度、テロップの入力（追加）や編集が行われることとなる。
【０３１２】
なお、この例の携帯電話機の場合、例えば１５秒の動画像に対して最大１３個のテロップの入力が可能となっている。
【０３１３】
このように当該実施の形態の携帯電話機は、自動再生される動画像を見ながらテロップの始点及び終点を指定し、この始点及び終点を指定した後に、テロップの文字や文字色及び背景色等を入力するようになっている。
【０３１４】
テロップの始点及び終点は、自動再生される動画像を見ながら指定することができるため、所望のタイミングで該始点及び終点の指定を行うことができる。このため、テロップを確実に希望する箇所に入力することができる。
【０３１５】
〔ハイパーリンク〕
次に、この携帯端末装置においては、上記メモリ８８のアドレス帳領域，通信履歴領域，メモ帳領域に記憶されている「電話番号」，「電子メールアドレス」或いは「所望のＷｅｂサイトのＵＲＬ」を、上述のテロップとして入力することも可能となっている。
【０３１６】
この「電話番号」や「電子メールアドレス」等をテロップとして入力する場合、ユーザは、図３７（ｇ）或いは図３７（ｉ）の表示画面において、カーソルＣＲを「ハイパーリンクの種別」の文字の表示位置に移動操作し、回転式操作キー１０を押圧操作する。制御部８７は、この回転式操作キー１０の押圧操作を検出すると、「ハイパーリンクの編集モード」となり、まず、図３９（ａ）に示す入力する情報の選択画面を表示部１４に表示制御する。
【０３１７】
この図３９（ａ）は、上記選択画面として、「電話番号」，「電子メールアドレス（メールアドレス）」，「所望のＷｅｂサイトのＵＲＬ（ＵＲＬ）」，「設定なし」が、それぞれ入力する情報として表示された例を示している。
【０３１８】
ユーザは、回転式操作キー１０を回転操作して、テロップとして入力する情報の表示位置にカーソルＣＲを移動操作し、該回転式操作キー１０を押圧操作する。この回転式操作キー１０の押圧操作を検出すると、制御部８７は、選択された情報の種別を表示部１４に表示制御する。
【０３１９】
具体的には、例えば図３９（ａ）は、カーソルＣＲが「電話番号」の文字の表示位置に位置している例なのであるが、この状態で回転式操作キー１０が押圧操作されると、制御部８７は、図３９（ｂ）に示すように「ハイパーリンク種別」の表示欄に「電話」の文字を表示制御する。ユーザは、この表示を見ることで、テロップの入力を行う情報として「電話番号」が選択されたことを認識することができる。
【０３２０】
次に、ユーザは、このように選択した情報の入力を行う。この情報の入力を行う場合、ユーザは、図３９（ｂ）の表示画面において、回転式操作キー１０を下方向に回転操作する。これにより、情報の入力欄（ハイパーリンクデータ）、及び入力する情報の文字色を示す欄（ハイパー文字色）が表示画面にスクロール表示される。この状態でユーザは、回転式操作キー１０を回転操作して上記情報の入力欄（ハイパーリンクデータ）にカーソルＣＲを移動操作し、該回転式操作キー１０を押圧操作する。
【０３２１】
制御部８７は、この回転式操作キー１０の押圧操作を検出すると、図３９（ｄ）に示すような入力方法の指定画面を表示部１４に表示制御する。この例の場合、テロップとして入力する情報として「電話番号」が選択されている。このため、制御部８７は、図３９（ｄ）に示すように「アドレス帳から」，「履歴から」，「直接入力」，「メモ帳から」との文字を表示制御し、ユーザに電話番号の入力方法を選択させる。
【０３２２】
ユーザが回転式操作キー１０を操作することで、上記「アドレス帳から」の入力方法が選択された場合、制御部８７は、メモリ８８に記憶されているアドレス帳を読み出して表示部１４に表示制御し、このアドレス帳に記憶されている電話番号の中からテロップとして入力する電話番号を選択させ、この選択された電話番号を、テロップとして入力する情報として取り込む。
【０３２３】
また、上記「履歴から」の入力方法が選択された場合、制御部８７は、メモリ８８に記憶されている通信履歴（送信履歴や受信履歴）を読み出して表示部１４に表示制御し、この通信履歴に記憶されている電話番号の中からテロップとして入力する電話番号を選択させ、この選択された電話番号を、テロップとして入力する情報として取り込む。
【０３２４】
また、上記「直接入力」の入力方法が選択された場合、制御部８７は、図３９（ｅ）に示すように、表示部１４に、電話番号の入力画面を表示制御し、ユーザがテンキー１ａを操作することで直接的に入力された電話番号を、テロップとして入力する情報として取り込む。
【０３２５】
また、上記「メモ帳から」の入力方法が選択された場合、制御部８７は、メモリ８８に記憶されているメモ帳を読み出して表示部１４に表示制御し、このメモ帳に記憶されている電話番号の中からテロップとして入力する電話番号を選択させ、この選択された電話番号を、テロップとして入力する情報として取り込む。
【０３２６】
なお、この例は、電話番号をテロップとして入力する場合であるが、「電子メールアドレス」や「ＷｅｂサイトのＵＲＬ」も、この電話番号と同様に、上記「アドレス帳」，「通信履歴」，「メモ帳」から取り込まれ、或いはユーザが「直接的に入力」するようになっている。
【０３２７】
次に、このようにテロップとして入力する情報が選択或いは直接的に入力されると、制御部８７は、この選択或いは直接的に入力された情報を、表示部１４に表示制御すると共に、回転式操作キー１０の模式的な画像と共に「確定」の文字を表示制御する（図３９（ｅ）参照）。
【０３２８】
ユーザは、表示部１４に表示された情報を見ることで、テロップとして入力される情報を確認し、回転式操作キー１０を押圧操作する。この回転式操作キー１０の押圧操作を検出すると、制御部８７は、図３９（ｆ）に示すように、上記選択或いは直接的に入力された情報を、情報の入力欄（ハイパーリンクデータ）に表示制御する。この図３９（ｆ）に示す例は、ユーザにより直接的に入力された「０３１２３４５６７８」という電話番号が、上記情報の入力欄に表示されている例である。
【０３２９】
次にユーザは、このように入力した情報（ハイパーリンクデータ）の文字色を選択する。この場合、ユーザは、図３９（ｆ）の表示画面において、回転式操作キー１０を回転操作してカーソルＣＲを「ハイパー文字色」の文字の表示位置に移動操作し、回転式操作キー１０を押圧操作する。
【０３３０】
この回転式操作キー１０の押圧操作を検出すると、制御部８７は、図３８（ａ）を用いて説明した、上記「文字色」の候補となる文字色パレットを表示部１４に表示制御する。この例の場合、文字色パレットは、黒，白，赤，緑，青，黄，ピンク，水色，茶の計９色で構成されている。
【０３３１】
ユーザは回転式操作キー１０を回転操作することで、カーソルＣＲを文字色パレット上の所望の文字色の表示位置に移動操作し、このタイミングで回転式操作キー１０を押圧操作する。制御部８７は、回転式操作キー１０の押圧操作を検出すると、カーソルＣＲが位置している文字色を、図３９（ｆ）に示す「ハイパー文字色」の表示欄に表示制御する。
【０３３２】
なお、カーソルＣＲが「設定なし」の表示位置に位置している場合に回転式操作キー１０の押圧操作を検出した場合、制御部８７は、テロップとして「電話番号」や「電子メールアドレス」等の情報の入力は行われないものと判断し、上記情報の入力欄（ハイパーリンクデータ：図３９（ｃ）参照）に「設定なし」の文字を表示制御する。この場合、上記文字色（ハイパー文字色）の選択機能は、機能しないようになっている。
【０３３３】
このようにハイパーリンクの設定作業が終了すると、ユーザは、右ソフトキー８０Ｒを押圧操作する。この場合、右ソフトキー８０Ｒは、図３９（ｉ）に示すように「完了」を指示するキーとなっている。制御部８７は、この右ソフトキー８０Ｒの押圧操作を検出すると、図３７（ｉ）を用いて説明したように例えば「作成しました」等のテロップの入力作業の「完了」を示すメッセージを表示部１４に所定時間（数秒）表示制御し（図３８（ｃ）参照）、ユーザによりテロップとして入力された「電話番号」や「電子メールアドレス」等と、テロップの文字色，背景色，始点，終点を一旦記憶する「完了処理」を行う。そして、ユーザにより再生が指定された際に、動画像を自動再生すると共に、上記始点から終点までの間、上記テロップとして入力された「電話番号」や「電子メールアドレス」等のハイパーリンクデータの表示を行う。
【０３３４】
ユーザは、この自動再生により、ハイパーリンクデータの表示タイミングや文字色等を確認し、これで良い場合は、図３８（ｂ）を用いて説明した「確定」に対応する右ソフトキー８０Ｒを押圧操作する。この右ソフトキー８０Ｒの押圧操作を検出すると制御部８７は、図３８（ｇ）を用いて説明したようにテロップの編集完了のメッセージを表示部１４に表示制御すると共に、上記ハイパーリンクデータを動画像に関連付けてメモリ８８に記憶制御する。これにより、ハイパーリンクデータの入力作業が終了する。
【０３３５】
このようなハイパーリンクデータは、例えば店舗の広告を撮像した動画像に対するテロップとして、店舗の電話番号やホームページのＵＲＬを入力し、これをユーザに配信して店舗の広告として使用する等、様々な使用形態で使用することができる。
【０３３６】
［実施の形態の効果］
以上の説明から明らかなように、当該実施の形態の携帯電話機は、本体部３を構成する第１の筐体１と第２の筐体２とがヒンジ部４を介して回動可能に連結されて折畳自在にされる携帯電話機であって、本体部３に対して回転可能なカメラ装置１７を有する。そして、カメラ装置１７の本体部３に対する回転位置を非接触型の検出手段により検出して、カメラ装置１７が所定の回転位置に回転されたときに撮像レンズ５３を介して取り込まれる画像を反転制御する。
【０３３７】
これにより、プッシュスイッチを用いた場合のように、被操作レバーや操作用突部の可動スペースを必要とせず、また、ヒンジ部４に設けられる機構と被操作レバーや操作用突部との干渉というおそれもなく、その分、当該携帯電話機の小型化を図ることができる。
【０３３８】
また、カメラ装置１７への給電のための配線板の十分な配置スペースを確保することができ、また、被操作レバーや操作用突部との干渉という問題が生じないため、配線板の耐久性の向上を図ることができる。
【０３３９】
さらに、検出手段５９，６２が非接触型であるため、ヒンジ部４の隙間から侵入するおそれのある塵埃や水分等による影響が少なく、検出動作の不良を防止することができる。
【０３４０】
加えて、非接触型の検出手段５９，６２を用いることにより、プッシュスイッチ等の接触型の検出手段を用いた場合に比し、検出手段５９，６２の耐久性の向上を図ることができる。
【０３４１】
また、上記検出手段５９，６２を、マグネットと磁気抵抗素子とによって構成しているため、検出手段５９，６２の構成を簡素化することができ、当該携帯電話機内部に設けられる内部機構の簡素化及び内部機構の組立作業における作業性の向上を図ることができる。
【０３４２】
また、上記マグネットをカメラ装置１７に配置し、磁気抵抗素子を本体部３配置したので、磁気抵抗素子への給電のための配線板、例えば、フレキシブルプリント配線板や専用のコネクター等の部品を設ける必要がなく、内部構成の簡素化及び部品点数の低減を図ることができる。
【０３４３】
また、磁気抵抗素子への給電のためのフレキシブルプリント配線板を必要としないため、カメラ装置１７を回転したときの当該フレキシブルプリント配線板に対するストレスによる耐久性の低下という問題も生じることがなく、検出手段５９，６２による良好な検出動作を確保することができる。
【０３４４】
さらに、外部から当該携帯電話機に衝撃等が加わった際に、磁気抵抗素子のクラックや破損等の不具合の発生を防止することができる。
【０３４５】
加えて、カメラ装置１７の交換が必要とされた場合でも、一般にマグネットよりも高価な磁気抵抗素子をカメラ装置１７とともに交換する必要がない。
【０３４６】
また、上記カメラ装置１７を保護カバー１８と該保護カバー内に配置されたカメラ本体４８とによって構成し、保護カバー１８の外面にローレット加工が施された回転操作部１８ａを形成したので、回転操作部１８ａに指を宛るだけで、カメラ装置１７を容易に回転操作可能とすることができる。
【０３４７】
また、上記検出手段５９，６２を１つのマグネットと２つの磁気抵抗素子又は２つのマグネットと１つの磁気抵抗素子とによって構成し、カメラ装置１７が別の所定の回転位置に回転されたときにカメラ装置１７を使用不能状態としたので、必要なときにのみカメラ装置１７への給電が行われ消費電力の低減を図ることができる。
【０３４８】
また、上記カメラ装置１７の使用モードとして、撮像レンズが撮影者側を向く自分側撮影モードと撮像レンズが撮影者の反対側を向く相手側撮影モードと撮像レンズが本体部３に遮蔽される遮蔽モードとを設け、自分側撮影モードと相手側撮影モードとの間で画像の反転を行い、自分側撮影モードと相手側撮影モードにおいてカメラ装置を使用可能状態とすると共に遮蔽モードにおいてカメラ装置１７を使用不能状態としたので、各モードにおいて撮影者にとってのカメラ装置１７の所望の状態が設定され、使い勝手の向上を図ることができる。
【０３４９】
また、上記撮像レンズ５３の外周の全周にカメラ装置１７による撮影時に発光可能な発光部５８を設けたので、発光部５８から出射された光の片寄りがなく撮像レンズ５３の光軸を中心とした均等な光が出射され、良好な静止画像或いは動画像を撮像可能とすることができる。
【０３５０】
また、カメラ装置１７により撮像が可能となった際に、上記発光部５８を所定の輝度レベルで点灯制御するようになっている。このため、この発光部５８の点灯制御により、カメラ装置１７により撮像が可能となったことを第三者に知らしめることができる。従って、盗撮等の間違った行為を強力に防止することができる。
【０３５１】
また、１回の撮像が終了する毎に、発光部５８を消灯制御するようにしているため、撮像に必要なとき以外に発光部５８を無駄に点灯制御してバッテリーが無意味に消耗される不都合を防止することができる。
【０３５２】
また、カメラ装置１７の向きが、上記盗撮等の間違った行為が行われる可能性の低いカメラ位置である、自分を撮像する方向に向いているときには、発光部５８を消灯制御するようにしている。このため、上記盗撮等の間違った行為が行われる可能性の低いカメラ位置においては、発光部５８を消灯制御してバッテリーの消費を防止することができる。
【０３５３】
なお、カメラ装置１７の方向を自分を撮像する方向にして、上記盗撮等の間違った行為が行われることも考えられる。このため、カメラ装置１７の方向が自分を撮像する方向に向いているときであっても、カメラ装置１７による撮像が可能となった場合には、発光部５８を点灯或いは点滅制御して、該カメラ装置１７による撮像が可能となったことを第三者に知らしめるようにしてもよい。
【０３５４】
また、当該実施の形態の携帯電話機は、自動再生される動画像を見ながらテロップの始点及び終点を指定し、この始点及び終点を指定した後に、テロップの文字や文字色及び背景色等を入力する。
【０３５５】
テロップの始点及び終点は、自動再生される動画像を見ながら指定することができるため、所望のタイミングで該始点及び終点の指定を行うことができる。このため、テロップを確実に希望する箇所に入力することができる。
【０３５６】
［変形例］
上述の実施の形態の説明では、本発明を携帯電話機に適用することとしたが、本発明は、ＰＨＳ電話機やＰＤＡ装置の他、カメラ機能を有するパーソナルコンピュータ装置等に適用してもよい。すなわち、本発明は、カメラ機能と、他の機能とを併せ持つ装置であれば、どのような装置に対しても適用可能であり、この場合でも上述と同じ効果を得ることができる。
【０３５７】
また、発光部５８をカメラ装置１７と一体的に設けることとしたが、これは、第１の筐体１或いは第２の筐体２の前面側及び後面側にそれぞれ発光部を設け、これらをカメラ装置１７が撮像可能となった際等に点灯制御（或いは点滅制御）するようにしてもよい。
【０３５８】
また、発光部５８は、カメラ装置１７が撮像可能状態となっていることを第三者に知らしめる発光部と、撮像時に被写体を照らすライトとを兼用することとしたが、発光部５８で、着信を知らせる発光部と、カメラ装置１７が撮像可能状態となっていることを第三者に知らしめる発光部とを兼用するようにしてもよい。
【０３５９】
また、発光部５８で、着信を知らせる発光部と、カメラ装置１７が撮像可能状態となっていることを第三者に知らしめる発光部と、撮像時に被写体を照らすライトとを兼用するようにしてもよい。
【０３６０】
また、発光部５８が、着信を知らせる発光部と、カメラ装置１７が撮像可能状態となっていることを第三者に知らしめる発光部とを兼用することとした場合には、着信時と撮像時とで、発光色を変えるようにしてもよい。
【０３６１】
また、発光部５８を、点灯間隔でシャッターが切られるまでの時間を知らせるセルフタイマと兼用するようにしてもよい。
【０３６２】
また、「スチルモード」及び「ムービーモード」となった際に、上記発光部５８以外の発光箇所を消灯制御してもよい。この場合、発光部５８以外の発光箇所を消灯制御することで、省電力化を図ることができる。また、発光部５８以外の発光箇所からの光が撮像画像に写り込む不都合を防止することができる。
【０３６３】
また、自動再生される動画像を見ながらテロップを入力することとしたが、これはテロップ以外でも、例えば「アフレコ（アフターレコーディング）」の音声を動画像を見ながら入力してもよい。
【０３６４】
この「アフレコ」の入力は、図３７（ａ）に示す表示画面で、「アフレコ」を選択することで行うことができる。この場合、図３７（ｂ）〜（ｆ）を用いた説明と同様に、自動再生される動画像を見ながら始点を選択し、この始点を選択したタイミングで音声の入力を開始する。この入力された音声は、図１に示すマイクロホン装置９により集音される。
【０３６５】
次にユーザは、自動再生される動画像を見ながら終点を選択し、音声の入力を終了する。制御部８７は、上記始点から終点までの間に集音された音声情報を動画像に関連付けてメモリ８８に記憶制御する。これにより、動画像の撮像時に記録された音声を新たな音声に変更する「アフレコ」を行うことができる。
【０３６６】
すなわち、このように動画像を見ながら始点，終点を入力する構成とすることで、動画像に関連するどのような情報でも後から入力することが可能となるのである。そして、このような動画像に関連する情報の入力は、動画像を見ながら行うことができるため、ユーザが希望する最適なタイミングで該情報の入力を行うことができるのである。
【０３６７】
最後に、上述の実施の形態は、本発明の一例である。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【０３６８】
【発明の効果】
本発明は、動画像を見ながらリアルタイムでテロップ等の動画像に関する情報の編集を行うことができる。
【図面の簡単な説明】
【図１】本発明を適用した実施の形態となる携帯電話機の斜視図である。
【図２】閉塞状態を示す携帯電話機の斜視図である。
【図３】第１の筐体と第２の筐体の回動角度を示す概略側面図である。
【図４】携帯電話機の内部構造の一部を示す拡大斜視図である。
【図５】ヒンジ機構を示す拡大分解斜視図である。
【図６】ヒンジ機構を示す拡大斜視図である。
【図７】図６のＶＩＩ−ＶＩＩ線に沿う拡大断面図である。
【図８】図６のＶＩＩＩ−ＶＩＩＩ線に沿う拡大断面図である。
【図９】固定部材と回転部材との関係を示す拡大斜視図である。
【図１０】図１１と共に第１の筐体と第２の筐体の回動が規制されるときの状態を示すものであり、本図は閉塞状態を一部を断面にして示す拡大側面図である。
【図１１】開放状態を一部を断面にして示す拡大側面図である。
【図１２】図１３と共にカメラ装置の組付手順を示すものであり、本図はカメラ装置がスライドされる前の状態を一部を断面にして示す拡大正面図である。
【図１３】カメラ装置がスライドされ組み付けられた状態を一部を断面にして示す拡大正面図である。
【図１４】フレキシブルプリント配線板が配置された状態を示す拡大斜視図である。
【図１５】遮蔽モードを示す拡大斜視図である。
【図１６】自分側撮影モードを示す拡大斜視図である。
【図１７】相手側撮影モードを示す拡大斜視図である。
【図１８】図１９及び図２０と共にカメラ装置が各回転位置に保持されるときの状態を示すものであり、本図は第１の回転位置の状態を一部を断面にして示す拡大側面図である。
【図１９】第２の回転位置の状態を一部を断面にして示す拡大側面図である。
【図２０】第３の回転位置の状態を一部を断面にして示す拡大側面図である。
【図２１】図２２と共にカメラ装置の回転が規制されるときの状態を示すものであり、本図は第１の回転位置の状態を一部を断面にして示す拡大側面図である。
【図２２】第３の回転位置の状態を一部を断面にして示す拡大側面図である。
【図２３】図２４乃至図２６と共に検出手段の検出動作が行われるときのカメラ装置の回転位置を示すものであり、本図は遮蔽モードの状態を示す拡大断面図である。
【図２４】自分側撮影モードの状態を示す拡大断面図である。
【図２５】カメラ装置の回転角度が＋９０°の状態を示す拡大断面図である。
【図２６】相手側撮影モードの状態を示す拡大断面図である。
【図２７】図２８乃至図３０と共に別の検出手段の検出動作が行われるときのカメラ装置の回転位置を示すものであり、本図は遮蔽モードの状態を示す拡大断面図である。
【図２８】自分側撮影モードの状態を示す拡大断面図である。
【図２９】カメラ装置の回転角度が＋９０°の状態を示す拡大断面図である。
【図３０】相手側撮影モードの状態を示す拡大断面図である。
【図３１】別の検出手段の検出動作を示すフローチャート図である。
【図３２】カメラ装置の変形例を示す拡大斜視図である。
【図３３】実施の形態の携帯電話機の概略的なブロック図である。
【図３４】スチルモード時の表示例を示す図である。
【図３５】ムービーモード時の表示例を示す図である。
【図３６】撮像時における発光部の駆動制御の流れを示すフローチャートである。
【図３７】テロップの入力動作を説明するための、上記実施の形態の携帯電話機の表示画面例を示す図である。
【図３８】入力されたテロップが自動再生される様子を示す、上記実施の形態の携帯電話機の表示画面例を示す図である。
【図３９】ハイパーリンクデータの入力動作を説明するための、上記実施の形態の携帯電話機の表示画面例を示す図である。
【図４０】従来の携帯電話機のテロップの入力動作を説明するための図である。
【符号の説明】
１…第１の筐体、２…第２の筐体、３…本体部、４…ヒンジ部、１７…カメラ装置、１８…保護カバー、１８ａ…回転操作部、４８…カメラ本体、５３…撮像レンズ、５９…検出手段、６０…磁気抵抗素子、６１…マグネット、６２…検出手段、６３…第１の磁気抵抗素子、６４…第２の磁気抵抗素子、６５…マグネット、１７Ａ…カメラ装置、１８Ａ…保護カバー、１８ｂ…回転操作部、８４…操作部、８５…アンテナ、８６…送受信処理部、８７…制御部、８８…メモリ、９０…枠、９５…発光マーク、９６…発光マーク、１００…携帯電話機、ＣＲ…カーソル、ＰＢ…プログレスバー
【図１】
2004260632.tif 000003
【図２】
2004260632.tif 000004
【図３】
2004260632.tif 000005
【図４】
2004260632.tif 000006
【図５】
2004260632.tif 000007
【図６】
2004260632.tif 000008
【図７】
2004260632.tif 000009
【図８】
2004260632.tif 000010
【図９】
2004260632.tif 000011
【図１０】
2004260632.tif 000012
【図１１】
2004260632.tif 000013
【図１２】
2004260632.tif 000014
【図１３】
2004260632.tif 000015
【図１４】
2004260632.tif 000016
【図１５】
2004260632.tif 000017
【図１６】
2004260632.tif 000018
【図１７】
2004260632.tif 000019
【図１８】
2004260632.tif 000020
【図１９】
2004260632.tif 000021
【図２０】
2004260632.tif 000022
【図２１】
2004260632.tif 000023
【図２２】
2004260632.tif 000024
【図２３】
2004260632.tif 000025
【図２４】
2004260632.tif 000026
【図２５】
2004260632.tif 000027
【図２６】
2004260632.tif 000028
【図２７】
2004260632.tif 000029
【図２８】
2004260632.tif 000030
【図２９】
2004260632.tif 000031
【図３０】
2004260632.tif 000032
【図３１】
2004260632.tif 000033
【図３２】
2004260632.tif 000034
【図３３】
2004260632.tif 000035
【図３４】
2004260632.tif 000036
【図３５】
2004260632.tif 000037
【図３６】
2004260632.tif 000038
【図３７】
2004260632.tif 000039
【図３８】
2004260632.tif 000040
【図３９】
2004260632.tif 000041
【図４０】
2004260632.tif 000042